(57)【要約】【課題】諸収差の良好な補正と小型化が両立されたズームレンズ及びそれを有する撮像装置を提供すること。【解決手段】ズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、第２レンズ群は、物体側から像側に順に、正屈折力の物体側サブレンズ群と、像側サブレンズ群と、からなり、、第２レンズ群の物体側サブレンズ群は１つのレンズ成分からなり、そのレンズ成分は光路中にて物体側面と像側面の２面のみが空気と接し、以下の条件式を満足する。  ３．０＜ΔＤ12／ＥＲS＜４．５  １．０５＜｜ｆ3／ｆUN21｜＜２．１【選択図】図１
2014235190.tif 000002
【特許請求の範囲】
【請求項１】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
開口絞りが、前記第１レンズ群の像側面よりも像側で、且つ前記第２レンズ群の像側面よりも物体側に配置され、
前記第２レンズ群は、物体側から像側に順に、正屈折力の物体側サブレンズ群と、像側サブレンズ群と、からなり、
前記第２レンズ群の前記物体側サブレンズ群は１つのレンズ成分からなり、
そのレンズ成分は光路中にて物体側面と像側面の２面のみが空気と接し、
以下の条件式（１）、（２）を満足することを特徴とするズームレンズ。
３．０＜ΔＤ12／ＥＲS＜４．５      （１）
１．０５＜｜ｆ3／ｆUN21｜＜２．１      （２）
ただし、
ΔＤ12＝Ｄ12W−Ｄ12Tであり、
Ｄ12Wは、広角端での前記第１レンズ群と前記第２レンズ群との間の距離、
Ｄ12Tは、望遠端での前記第１レンズ群と前記第２レンズ群との間の距離であって、
いずれも、無限遠物点合焦時における光軸上での距離、
ＥＲSは、前記開口絞りの開口部の最大半径、
ｆ3は、前記第３レンズ群の焦点距離、
ｆUN21は、前記第２レンズ群の前記物体側サブレンズ群の焦点距離、
である。
【請求項２】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
開口絞りが、前記第１レンズ群の像側面よりも像側で、且つ前記第２レンズ群の像側面よりも物体側に配置され、
前記第１レンズ群は、物体側から像側に順に、物体側サブレンズ群と、像側サブレンズ群と、からなり、
前記第１レンズ群の前記物体側サブレンズ群は第１負レンズからなり、
前記第１レンズ群の前記像側サブレンズ群は、第２負レンズと第１正レンズとを含み、
前記第２レンズ群は、物体側から像側に順に、正屈折力の物体側サブレンズ群と、像側サブレンズ群と、からなり、
前記第２レンズ群の前記物体側サブレンズ群は１つのレンズ成分からなり、
そのレンズ成分は光路中にて物体側面と像側面の２面のみが空気と接し、
以下の条件式（１）、（３）を満足することを特徴とするズームレンズ。
３．０＜ΔＤ12／ＥＲS＜４．５      （１）
−０．９＜ＳＦ2N＜１．５      （３）
ただし、
ΔＤ12＝Ｄ12W−Ｄ12Tであり、
Ｄ12Wは、広角端での前記第１レンズ群と前記第２レンズ群との間の距離、
Ｄ12Tは、望遠端での前記第１レンズ群と前記第２レンズ群との間の距離であって、
いずれも、無限遠物点合焦時における光軸上での距離、
ＥＲSは、前記開口絞りの開口部の最大半径、
ＳＦ2N＝（Ｒ2NO＋Ｒ2NI）／（Ｒ2NO−Ｒ2NI）であり、
Ｒ2NOは、前記第１レンズ群の前記第２負レンズの物体側面の近軸曲率半径、
Ｒ2NIは、前記第１レンズ群の前記第２負レンズの像側面の近軸曲率半径、
である。
【請求項３】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
開口絞りが、前記第１レンズ群の像側面よりも像側で、且つ前記第２レンズ群の像側面よりも物体側に配置され、
以下の条件式（４）、（５’）を満足することを特徴とするズームレンズ。
１．２＜ΔＤ12／ＩＨMAX＜１．８５      （４）
１．１＜｜ｆ3／ｆW｜＜１．９      （５’）
ただし、
ΔＤ12＝Ｄ12W−Ｄ12Tであり、
Ｄ12Wは、広角端での前記第１レンズ群と前記第２レンズ群との間の距離、
Ｄ12Tは、望遠端での前記第１レンズ群と前記第２レンズ群との間の距離であって、
いずれも、無限遠物点合焦時における光軸上での距離、
ＩＨMAXは、最大像高であり、変倍に伴って前記最大像高が変化する場合はその最大値、
ｆ3は、前記第３レンズ群の焦点距離、
ｆWは、広角端での無限遠物点合焦時における前記ズームレンズ全系の焦点距離、
である。
【請求項４】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
開口絞りが、前記第１レンズ群の像側面よりも像側で、且つ前記第２レンズ群の像側面よりも物体側に配置され、
以下の条件式（４）、（６）を満足することを特徴とするズームレンズ。
１．２＜ΔＤ12／ＩＨMAX＜１．８５      （４）
０．４３＜Σ2G／ｆ2＜０．７８      （６）
ただし、
ΔＤ12＝Ｄ12W−Ｄ12Tであり、
Ｄ12Wは、広角端での前記第１レンズ群と前記第２レンズ群との間の距離、
Ｄ12Tは、望遠端での前記第１レンズ群と前記第２レンズ群との間の距離であって、
いずれも、無限遠物点合焦時における光軸上での距離、
ＩＨMAXは、最大像高であり、変倍に伴って前記最大像高が変化する場合はその最大値、
Σ2Gは、前記第２レンズ群の光軸上における厚さ、
ｆ2は、前記第２レンズ群の焦点距離、
である。
【請求項５】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
開口絞りが、前記第１レンズ群の像側面よりも像側で、且つ前記第２レンズ群の像側面よりも物体側に配置され、
前記第２レンズ群は、物体側から像側に順に、正屈折力の物体側サブレンズ群と、像側サブレンズ群と、からなり、
前記第２レンズ群の前記物体側サブレンズ群は１つのレンズ成分からなり、
そのレンズ成分は光路中にて物体側面と像側面の２面のみが空気と接し、
以下の条件式（７）、（８）、（９）を満足することを特徴とするズームレンズ。
０．６＜ｆUN21／ｆ2＜１．８      （７）
１．１７＜｜ｆ3／ｆ2｜＜１．９５      （８）
１．１５＜ｆ2／ＩＨMAX＜１．５      （９）
ただし、
ｆUN21は、前記第２レンズ群の前記物体側サブレンズ群の焦点距離、
ｆ2は、前記第２レンズ群の焦点距離、
ｆ3は、前記第３レンズ群の焦点距離、
ＩＨMAXは、最大像高であり、変倍に伴って前記最大像高が変化する場合はその最大値、
である。
【請求項６】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
開口絞りが、前記第１レンズ群の像側面よりも像側で、且つ前記第２レンズ群の像側面よりも物体側に配置され、
前記第１レンズ群は、物体側から像側に順に、物体側サブレンズ群と、像側サブレンズ群と、からなり、
前記第１レンズ群の前記物体側サブレンズ群は第１負レンズからなり、
前記第１レンズ群の前記像側サブレンズ群は、第２負レンズと第１正レンズとを含み、
前記第２レンズ群は、物体側から像側に順に、正屈折力の物体側サブレンズ群と、像側サブレンズ群と、からなり、
前記第２レンズ群の前記物体側サブレンズ群は１つのレンズ成分からなり、
そのレンズ成分は光路中にて物体側面と像側面の２面のみが空気と接し、
前記第２レンズ群の前記像側サブレンズ群は、負屈折力をもつレンズ面と、そのレンズ面よりも像側に配置された正レンズと、を有し、
以下の条件式（３）、（１０）、（１１）を満足することを特徴とするズームレンズ。
−０．９＜ＳＦ2N＜１．５      （３）
１．５＜ｆUN21／ＥＲS＜３．９      （１０）
３＜ＬＴＬmin／ｆｂLTLmin＜１３      （１１）
ただし、
ＳＦ2N＝（Ｒ2NO＋Ｒ2NI）／（Ｒ2NO−Ｒ2NI）であり、
Ｒ2NOは、前記第１レンズ群の前記第２負レンズの物体側面の近軸曲率半径、
Ｒ2NIは、前記第１レンズ群の前記第２負レンズの像側面の近軸曲率半径、
ｆUN21は、前記第２レンズ群の前記物体側サブレンズ群の焦点距離、
ＥＲSは、前記開口絞りの開口部の最大半径、
ＬＴＬminは、無限遠物点合焦時における前記ズームレンズの全長と空気換算したバックフォーカスとの和であり、変倍に伴って前記全長が変化する場合はその最小値、
前記全長は、前記ズームレンズの最も物体側の屈折面から最も像側の屈折面までの光軸上での距離、
ｆｂLTLminは、ＬＴＬminにおける前記空気換算したバックフォーカス、
である。
【請求項７】
物体側から像側に順に、
負屈折力の第１レンズ群と、正屈折力の第２レンズ群と、負屈折力の第３レンズ群と、を有し、
変倍の際に、前記各レンズ群の間の距離は各々変化し、
前記第１レンズ群と前記第２レンズ群との間の距離は、広角端よりも望遠端で短く、
開口絞りが、前記第１レンズ群の像側面よりも像側で、且つ前記第２レンズ群の像側面よりも物体側に配置され、
前記第２レンズ群は、物体側から像側に順に、正屈折力の物体側サブレンズ群と、像側サブレンズ群と、からなり
前記第２レンズ群の前記物体側サブレンズ群は１つのレンズ成分からなり、
そのレンズ成分は光路中にて物体側面と像側面の２面のみが空気と接し、
以下の条件式（２）、（４）を満足することを特徴とするズームレンズ。
１．０５＜｜ｆ3／ｆUN21｜＜２．１      （２）
１．２＜ΔＤ12／ＩＨMAX＜１．８５      （４）
ただし、
ｆ3は、前記第３レンズ群の焦点距離、
ｆUN21は、前記第２レンズ群の前記物体側サブレンズ群の焦点距離、
ΔＤ12＝Ｄ12W−Ｄ12Tであり、
Ｄ12Wは、広角端での前記第１レンズ群と前記第２レンズ群との間の距離、
Ｄ12Tは、望遠端での前記第１レンズ群と前記第２レンズ群との間の距離であって、
いずれも、無限遠物点合焦時における光軸上での距離、
ＩＨMAXは、最大像高であり、変倍に伴って前記最大像高が変化する場合はその最大値、
である。
【請求項８】
前記第３レンズ群の像側に配置された正屈折力の第４レンズ群を有し、
変倍の際に、前記第３レンズ群と前記第４レンズ群との間の距離が変化することを特徴とする請求項１から７の何れか１項に記載のズームレンズ。
【請求項９】
前記第３レンズ群と前記第４レンズ群との間の距離は、広角端に対して望遠端にて長いことを特徴とする請求項８に記載のズームレンズ。
【請求項１０】
前記ズームレンズ中のレンズ群の総数が、前記第１レンズ群、前記第２レンズ群、前記第３レンズ群、前記第４レンズ群の４つであることを特徴とする請求項８または９に記載のズームレンズ。
【請求項１１】
前記第２レンズ群の前記物体側サブレンズ群と前記像側サブレンズ群は、前記第２レンズ群中で最も大きい軸上空気間隔を挟んで配置されることを特徴とする請求項１、２、５、６、７の何れか１項に記載のズームレンズ。
【請求項１２】
前記第２レンズ群の前記像側サブレンズ群は１つのレンズ成分からなり、
そのレンズ成分は光路中にて物体側面と像側面の２面のみが空気と接し、
前記第２レンズ群中のレンズ成分の総数は２であることを特徴とする請求項１１に記載のズームレンズ。
【請求項１３】
以下の条件式（５）を満足することを特徴とする請求項１から１２の何れか１項に記載のズームレンズ。
０．８＜｜ｆ3／ｆW｜＜２．５      （５）
ただし、
ｆ3は、前記第３レンズ群の焦点距離、
ｆWは、広角端での無限遠物点合焦時における前記ズームレンズ全系の焦点距離、
である。
【請求項１４】
以下の条件式（１２）を満足することを特徴とする請求項１から１３の何れか１項に記載のズームレンズ。
−２０．０％＜ＤＴW＜−６．０％      （１２）
ただし、
ＤＴW＝｛ＩＨW−ｆw×ｔａｎ（ωW）｝／｛ｆW×ｔａｎ（ωW）｝×１００（％）、    ｆWは、広角端での無限遠物点合焦時における前記ズームレンズ全系の焦点距離、
ＩＨWは、広角端での無限遠物点合焦時における最大像高、
ωWは、広角端での無限遠物点合焦時における半画角、
である。
【請求項１５】
前記第２レンズ群は、物体側から像側に順に、正屈折力の物体側サブレンズ群と、像側サブレンズ群と、からなり、
前記第２レンズ群の前記物体側サブレンズ群は１つのレンズ成分からなり、
そのレンズ成分は光路中にて物体側面と像側面の２面のみが空気と接し、
以下の条件式（１３）を満足することを特徴とする請求項１から１４の何れか１項に記載のズームレンズ。
−１．５＜ＳＦUN21＜０．５      （１３）
ただし、
ＳＦUN21＝（ＲUN21O＋ＲUN21I）／（ＲUN21O−ＲUN21I）であり、
ＲUN21Oは、前記第２レンズ群の前記物体側サブレンズ群の物体側面の近軸曲率半径、
ＲUN21Iは、前記第２レンズ群の前記物体側サブレンズ群の像側面の近軸曲率半径、
である。
【請求項１６】
以下の条件式（１４）を満足することを特徴とする請求項１から１５の何れか１項に記載のズームレンズ。
０．３８＜Σ2G／ｆW＜０．７５      （１４）
ただし、
Σ2Gは、前記第２レンズ群の光軸上における厚さ、
ｆWは、広角端での無限遠物点合焦時における前記ズームレンズ全系の焦点距離、
である。
【請求項１７】
前記第２レンズ群は、物体側から像側に順に、正屈折力の物体側サブレンズ群と、像側サブレンズ群と、からなり、
前記第２レンズ群の前記物体側サブレンズ群は１つのレンズ成分からなり、
そのレンズ成分は光路中にて物体側面と像側面の２面のみが空気と接し、
前記第２レンズ群の前記像側サブレンズ群は、負屈折力をもつレンズ面と、そのレンズ面よりも像側に配置された正レンズと、を有することを特徴とする請求項１から１６の何れか１項に記載のズームレンズ。
【請求項１８】
以下の条件式（８）を満足することを特徴とする請求項１から１７の何れか１項に記載のズームレンズ。
１．１７＜｜ｆ3／ｆ2｜＜１．９５      （８）
ただし、
ｆ2は、前記第２レンズ群の焦点距離、
ｆ3は、前記第３レンズ群の焦点距離、
である。
【請求項１９】
以下の条件式（１５）を満足することを特徴とする請求項１から１８の何れか１項に記載のズームレンズ。
１．３＜｜ｆ3／ＩＨMAX｜＜２．５      （１５）
ただし、
ｆ3は、前記第３レンズ群の焦点距離、
ＩＨMAXは、最大像高であり、変倍に伴って前記最大像高が変化する場合はその最大値、
である。
【請求項２０】
前記第３レンズ群は、比重が０．９ｇ／ｃｍ３より大きく１．３ｇ／ｃｍ３よりも小さいレンズを有することを特徴とする請求項１から１９の何れか１項に記載のズームレンズ。
【請求項２１】
前記第２レンズ群は、負レンズと、以下の条件式（１６）を満足する正レンズと、を有することを特徴とする請求項１から２０の何れか１項に記載のズームレンズ。
６３＜νp1＜９６      （１６）
ただし、
νp1は、前記第２レンズ群中の何れかの正レンズのｄ線基準のアッベ数、
である。
【請求項２２】
前記第１レンズ群は、物体側から像側に順に、物体側サブレンズ群と、像側サブレンズ群と、からなり、
前記第１レンズ群の前記物体側サブレンズ群は第１負レンズからなり、
前記第１レンズ群の前記像側サブレンズ群は、第２負レンズと第１正レンズとを含むことを特徴とする請求項１から２１の何れか１項に記載のズームレンズ。
【請求項２３】
以下の条件式（３）を満足することを特徴とする請求項２２に記載のズームレンズ。
−０．９＜ＳＦ2N＜１．５      （３）
ただし、
ＳＦ2N＝（Ｒ2NO＋Ｒ2NI）／（Ｒ2NO−Ｒ2NI）であり、
Ｒ2NOは、前記第１レンズ群の前記第２負レンズの物体側面の近軸曲率半径、
Ｒ2NIは、前記第１レンズ群の前記第２負レンズの像側面の近軸曲率半径、
である。
【請求項２４】
以下の条件式（１７）を満足することを特徴とする請求項１から２３の何れか１項に記載のズームレンズ。
０．６＜ｆｂw／ＩＨMAX＜１．８      （１７）
ただし、
ｆｂWは、広角端での無限遠物点合焦時における空気換算したバックフォーカス、
ＩＨMAXは、最大像高であり、変倍に伴って前記最大像高が変化する場合はその最大値、
である。
【請求項２５】
以下の条件式（１８）を満足することを特徴とする請求項１から２４の何れか１項に記載のズームレンズ。
０．４＜ｆ1／ｆ3＜１．２      （１８）
ただし、
ｆ1は、前記第１レンズ群の焦点距離、
ｆ3は、前記第３レンズ群の焦点距離、
である。
【請求項２６】
以下の条件式（６’）を満足することを特徴とする請求項１から２５の何れか１項に記載のズームレンズ。
０．４５＜Σ2G／ｆ2＜０．７５      （６’）
ただし、
Σ2Gは、前記第２レンズ群の光軸上における厚さ、
ｆ2は、前記第２レンズ群の焦点距離、
である。
【請求項２７】
以下の条件式（７）を満足することを特徴とする請求項１、２、６、７、１１、１２、１５、１７の何れか１項に記載のズームレンズ。
０．６＜ｆUN21／ｆ2＜１．８      （７）
ただし、
ｆUN21は、前記第２レンズ群の前記物体側サブレンズ群の焦点距離、
ｆ2は、前記第２レンズ群の焦点距離、
である。
【請求項２８】
以下の条件式（１９）を満足することを特徴とする請求項１から２７の何れか１項に記載のズームレンズ。
３＜ＬＴＬw／ｆｂw＜１３      （１９）
ただし、
ＬＴＬwは、広角端での無限遠物点合焦時における前記ズームレンズの全長と空気換算したバックフォーカスとの和、
前記全長は、前記ズームレンズの最も物体側の屈折面から最も像側の屈折面までの光軸上での距離、
ｆｂwは、ＬＴＬwにおける前記空気換算したバックフォーカス、
である。
【請求項２９】
以下の条件式（２０）を満足することを特徴とする請求項１、２、５、６、７、１１、１２、１５、１７、２７の何れか１項に記載のズームレンズ。
０．６＜ｆUN21／ｆW＜１．９      （２０）
ただし、
ｆUN21は、前記第２レンズ群の前記物体側サブレンズ群の焦点距離、
ｆWは、広角端での無限遠物点合焦時における前記ズームレンズ全系の焦点距離、
である。
【請求項３０】
以下の条件式（２０’）を満足することを特徴とする請求項２９に記載のズームレンズ。
０．６＜ｆUN21／ｆW＜１．６      （２０’）
ただし、
ｆUN21は、前記第２レンズ群の前記物体側サブレンズ群の焦点距離、
ｆWは、広角端での無限遠物点合焦時における前記ズームレンズ全系の焦点距離、
である。
【請求項３１】
以下の条件式（２１）を満足することを特徴とする請求項１から３０の何れか１項に記載のズームレンズ。
０．３５＜ΔＤ12／ｆT＜０．６      （２１）
ただし、
ΔＤ12＝Ｄ12W−Ｄ12Tであり、
Ｄ12Wは、広角端での前記第１レンズ群と前記第２レンズ群との間の距離、
Ｄ12Tは、望遠端での前記第１レンズ群と前記第２レンズ群との間の距離であって、
いずれも、無限遠物点合焦時における光軸上での距離、
ｆTは、望遠端での無限遠物点合焦時における前記ズームレンズ全系の焦点距離、
である。
【請求項３２】
以下の条件式（２２）を満足することを特徴とする請求項１から３１の何れか１項に記載のズームレンズ。
０．３５＜｜ｆ3／ＥＲS｜＜１．０５      （２２）
ただし、
ｆ3は、前記第３レンズ群の焦点距離、
ＥＲSは、前記開口絞りの開口部の最大半径、
である。
【請求項３３】
前記第１レンズ群は、以下の条件式（２３）を満足するプラスチック非球面レンズを有することを特徴とする請求項１から３２の何れか１項に記載のズームレンズ。
０．０００１＜｜ＡＳＰO−ＡＳＰI｜／ＩＨ33W＜０．０２      （２３）
ただし、
ＩＨ33Wは、広角端での無限遠物点合焦時における前記ズームレンズの入射側半画角が３３°となる主光線と近軸像面とが交わる位置の光軸からの距離、
ＡＳＰOは、前記プラスチック非球面レンズの物体側面の光軸からの距離がＩＨ33Wとなる位置での非球面偏倚量、
ＡＳＰIは、前記プラスチック非球面レンズの像側面の光軸からの距離がＩＨ33Wとなる位置での非球面偏倚量、
であり、
前記非球面偏倚量は、対象とする面の面頂を面頂とし、且つ曲率半径を前記対象とする面の近軸曲率半径と同じとした参照球面から前記対象とする面までの光軸方向での距離であり、前記参照球面に対して前記対象とする面が像側にある場合を正符号とする。
【請求項３４】
前記プラスチック非球面レンズの物体側面と像側面が共に非球面であることを特徴とする請求項３３に記載のズームレンズ。
【請求項３５】
広角端にて、半画角が３３°以上の光線が前記ズームレンズ中を通過可能であり、
以下の条件式（２４）を満足することを特徴とする請求項１から３４の何れか１項に記載のズームレンズ。
２．６＜ｆT／ｆW＜５．０      （２４）
ただし、
ｆTは、望遠端での無限遠物点合焦時における前記ズームレンズ全系の焦点距離、
ｆWは、広角端での無限遠物点合焦時における前記ズームレンズ全系の焦点距離、
である。
【請求項３６】
前記第２レンズ群は、前記第２レンズ群中で最も物体側に配置された正屈折力の単レンズと、物体側から順に負レンズと正レンズからなる接合レンズと、からなり、
前記開口絞りが前記第２レンズ群中の前記単レンズと前記接合レンズとの間に位置することを特徴とする請求項１から３５の何れか１項に記載のズームレンズ。
【請求項３７】
ズームレンズと、
撮像面を持ち且つ前記ズームレンズにより前記撮像面上に形成された像を電気信号に変換する撮像素子と、を有し、
前記ズームレンズが、請求項１から３６の何れか１項に記載のズームレンズであることを特徴とする撮像装置。
【発明の詳細な説明】
【技術分野】
【０００１】
本発明は、ズームレンズ及びそれを有する撮像装置に関する。
【背景技術】
【０００２】
カメラでは、用途やニーズに応じて、撮像素子の撮像面エリアを大きくして画素数を増やし、これにより画質の向上を図ることや、逆に撮像面エリアを小さくしてカメラを小型化することが行われている。ここで、カメラには、様々な種類の光学系が用いられているが、このうちの１つにズームレンズがある。ズームレンズは、交換レンズ（カメラ本体に着脱させるレンズ）にも用いられている。
【０００３】
撮像面エリアが大きいと、撮像面に形成される像（被写体の像）も大きくなる。そのため、撮像面エリアが大きいカメラでは、ズームレンズも大きくなりやすい。そこで、撮像面エリアが大きいカメラ用のズームレンズには、良好な光学性能と良好な携帯性の両立が求められる。すなわち、ズームレンズには、像の中心から周辺まで収差が良好に補正されていることと、小型であることが求められる。なお、良好な光学性能と良好な携帯性の両立は、撮像面エリアが小さいカメラ用のズームレンズでも求められている。
【０００４】
このような要求に応えるズームレンズが、特許文献１、２に開示されている。特許文献１、２のズームレンズは、物体側から順に、負屈折力のレンズ群と、正屈折力のレンズ群と、負屈折力のレンズ群と、正屈折力のレンズ群と、を有している。特許文献１、２のズームレンズは、比較的小型であり、広角端で広い画角を有している。
【先行技術文献】
【特許文献】
【０００５】
【特許文献１】特開２０１２−１３３２３０号公報
【特許文献２】特開２０１２−５８４０６号公報
【発明の概要】
【発明が解決しようとする課題】
【０００６】
カメラの携帯性をより良くするために、ズームレンズには一層の小型化が求められる。しかしながら、特許文献１、２に開示されたズームレンズでは、光学系の小型化が十分に達成されているとはいえない。また、特許文献１、２に開示されたズームレンズでは、諸収差の良好な補正と更なる光学系の小型化とを両立させることは難しい。
【０００７】
本発明は、このような課題に鑑みてなされたものであって、諸収差の良好な補正と光学系の小型化とが両立されたズームレンズ及びそれを有する撮像装置の提供を目的とするものである。
【課題を解決するための手段】
【０００８】
上述した課題を解決し、目的を達成するために、本発明のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りが、第１レンズ群の像側面よりも像側で、且つ第２レンズ群の像側面よりも物体側に配置され、
第２レンズ群は、物体側から像側に順に、正屈折力の物体側サブレンズ群と、像側サブレンズ群と、からなり、
第２レンズ群の物体側サブレンズ群は１つのレンズ成分からなり、
そのレンズ成分は光路中にて物体側面と像側面の２面のみが空気と接し、
以下の条件式（１）、（２）を満足することを特徴とする。
３．０＜ΔＤ12／ＥＲS＜４．５      （１）
１．０５＜｜ｆ3／ｆUN21｜＜２．１      （２）
ただし、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ＥＲSは、開口絞りの開口部の最大半径、
ｆ3は、第３レンズ群の焦点距離、
ｆUN21は、第２レンズ群の物体側サブレンズ群の焦点距離、
である。
【０００９】
また、本発明の別のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りが、第１レンズ群の像側面よりも像側で、且つ第２レンズ群の像側面よりも物体側に配置され、
第１レンズ群は、物体側から像側に順に、物体側サブレンズ群と、像側サブレンズ群と、からなり、
第１レンズ群の物体側サブレンズ群は第１負レンズからなり、
第１レンズ群の像側サブレンズ群は、第２負レンズと第１正レンズとを含み、
第２レンズ群は、物体側から像側に順に、正屈折力の物体側サブレンズ群と、像側サブレンズ群と、からなり、
第２レンズ群の物体側サブレンズ群は１つのレンズ成分からなり、
そのレンズ成分は光路中にて物体側面と像側面の２面のみが空気と接し、
以下の条件式（１）、（３）を満足することを特徴とする。
３．０＜ΔＤ12／ＥＲS＜４．５      （１）
−０．９＜ＳＦ2N＜１．５      （３）
ただし、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ＥＲSは、開口絞りの開口部の最大半径、
ＳＦ2N＝（Ｒ2NO＋Ｒ2NI）／（Ｒ2NO−Ｒ2NI）であり、
Ｒ2NOは、第１レンズ群の第２負レンズの物体側面の近軸曲率半径、
Ｒ2NIは、第１レンズ群の第２負レンズの像側面の近軸曲率半径、
である。
【００１０】
また、本発明の別のズームレンズンは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りが、第１レンズ群の像側面よりも像側で、且つ第２レンズ群の像側面よりも物体側に配置され、
以下の条件式（４）、（５’）を満足することを特徴とする。
１．２＜ΔＤ12／ＩＨMAX＜１．８５      （４）
１．１＜｜ｆ3／ｆW｜＜１．９      （５’）
ただし、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ＩＨMAXは、最大像高であり、変倍に伴って最大像高が変化する場合はその最大値、
ｆ3は、第３レンズ群の焦点距離、
ｆWは、広角端での無限遠物点合焦時におけるズームレンズ全系の焦点距離、
である。
【００１１】
また、本発明の別のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りが、第１レンズ群の像側面よりも像側で、且つ第２レンズ群の像側面よりも物体側に配置され、
以下の条件式（４）、（６）を満足することを特徴とする。
１．２＜ΔＤ12／ＩＨMAX＜１．８５      （４）
０．４３＜Σ2G／ｆ2＜０．７８      （６）
ただし、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ＩＨMAXは、最大像高であり、変倍に伴って最大像高が変化する場合はその最大値、
Σ2Gは、第２レンズ群の光軸上における厚さ、
ｆ2は、第２レンズ群の焦点距離、
である。
【００１２】
また、本発明の別のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りが、第１レンズ群の像側面よりも像側で、且つ第２レンズ群の像側面よりも物体側に配置され、
第２レンズ群は、物体側から像側に順に、正屈折力の物体側サブレンズ群と、像側サブレンズ群と、からなり、
第２レンズ群の物体側サブレンズ群は１つのレンズ成分からなり、
そのレンズ成分は光路中にて物体側面と像側面の２面のみが空気と接し、
以下の条件式（７）、（８）、（９）を満足することを特徴とする。
０．６＜ｆUN21／ｆ2＜１．８      （７）
１．１７＜｜ｆ3／ｆ2｜＜１．９５      （８）
１．１５＜ｆ2／ＩＨMAX＜１．５      （９）
ただし、
ｆUN21は、第２レンズ群の物体側サブレンズ群の焦点距離、
ｆ2は、第２レンズ群の焦点距離、
ｆ3は、第３レンズ群の焦点距離、
ＩＨMAXは、最大像高であり、変倍に伴って最大像高が変化する場合はその最大値、
である。
【００１３】
また、本発明の別のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りが、第１レンズ群の像側面よりも像側で、且つ第２レンズ群の像側面よりも物体側に配置され、
第１レンズ群は、物体側から像側に順に、物体側サブレンズ群と、像側サブレンズ群と、からなり、
第１レンズ群の物体側サブレンズ群は第１負レンズからなり、
第１レンズ群の像側サブレンズ群は、第２負レンズと第１正レンズとを含み、
第２レンズ群は、物体側から像側に順に、正屈折力の物体側サブレンズ群と、像側サブレンズ群と、からなり、
第２レンズ群の物体側サブレンズ群は１つのレンズ成分からなり、
そのレンズ成分は光路中にて物体側面と像側面の２面のみが空気と接し、
第２レンズ群の像側サブレンズ群は、負屈折力をもつレンズ面と、そのレンズ面よりも像側に配置された正レンズと、を有し、
以下の条件式（３）、（１０）、（１１）を満足することを特徴とする。
−０．９＜ＳＦ2N＜１．５      （３）
１．５＜ｆUN21／ＥＲS＜３．９      （１０）
３＜ＬＴＬmin／ｆｂLTLmin＜１３      （１１）
ただし、
ＳＦ2N＝（Ｒ2NO＋Ｒ2NI）／（Ｒ2NO−Ｒ2NI）であり、
Ｒ2NOは、第１レンズ群の第２負レンズの物体側面の近軸曲率半径、
Ｒ2NIは、第１レンズ群の第２負レンズの像側面の近軸曲率半径、
ｆUN21は、第２レンズ群の物体側サブレンズ群の焦点距離、
ＥＲSは、開口絞りの開口部の最大半径、
ＬＴＬminは、無限遠物点合焦時におけるズームレンズの全長と空気換算したバックフォーカスとの和であり、変倍に伴って全長が変化する場合はその最小値、
全長は、ズームレンズの最も物体側の屈折面から最も像側の屈折面までの光軸上での距離、
ｆｂLTLminは、ＬＴＬminにおける空気換算したバックフォーカス、
である。
【００１４】
また、本発明の別のズームレンズは、
物体側から像側に順に、
負屈折力の第１レンズ群と、正屈折力の第２レンズ群と、負屈折力の第３レンズ群と、を有し、
変倍の際に、各レンズ群の間の距離は各々変化し、
第１レンズ群と第２レンズ群との間の距離は、広角端よりも望遠端で短く、
開口絞りが、第１レンズ群の像側面よりも像側で、且つ第２レンズ群の像側面よりも物体側に配置され、
第２レンズ群は、物体側から像側に順に、正屈折力の物体側サブレンズ群と、像側サブレンズ群と、からなり、
第２レンズ群の物体側サブレンズ群は１つのレンズ成分からなり、
そのレンズ成分は光路中にて物体側面と像側面の２面のみが空気と接し、
以下の条件式（２）、（４）を満足することを特徴とする。
１．０５＜｜ｆ3／ｆUN21｜＜２．１      （２）
１．２＜ΔＤ12／ＩＨMAX＜１．８５      （４）
ただし、
ｆ3は、第３レンズ群の焦点距離、
ｆUN21は、第２レンズ群の物体側サブレンズ群の焦点距離、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ＩＨMAXは、最大像高であり、変倍に伴って最大像高が変化する場合はその最大値、
である。
【００１５】
また、本発明の撮像装置は、
ズームレンズと、
撮像面を持ち且つズームレンズにより撮像面上に形成された像を電気信号に変換する撮像素子と、を有し、
ズームレンズが、上述のズームレンズのいずれかであることを特徴とする。
【発明の効果】
【００１６】
本発明によれば、諸収差の良好な補正と光学系の小型化とが両立されたズームレンズ及びそれを有する撮像装置を提供することができる。
【図面の簡単な説明】
【００１７】
【図１】本発明のズームレンズの実施例１の無限遠物点合焦時の広角端（ａ）、中間焦点距離状態（ｂ）、望遠端（ｃ）でのレンズ断面図である。
【図２】本発明のズームレンズの実施例２の無限遠物点合焦時の広角端（ａ）、中間焦点距離状態（ｂ）、望遠端（ｃ）でのレンズ断面図である。
【図３】本発明のズームレンズの実施例３の無限遠物点合焦時の広角端（ａ）、中間焦点距離状態（ｂ）、望遠端（ｃ）でのレンズ断面図である。
【図４】本発明のズームレンズの実施例４の無限遠物点合焦時の広角端（ａ）、中間焦点距離状態（ｂ）、望遠端（ｃ）でのレンズ断面図である。
【図５】本発明のズームレンズの実施例５の無限遠物点合焦時の広角端（ａ）、中間焦点距離状態（ｂ）、望遠端（ｃ）でのレンズ断面図である。
【図６】実施例１の無限遠物点合焦時の収差図である。
【図７】実施例２の無限遠物点合焦時の収差図である。
【図８】実施例３の無限遠物点合焦時の収差図である。
【図９】実施例４の無限遠物点合焦時の収差図である。
【図１０】実施例５の無限遠物点合焦時の収差図である。
【図１１】非球面レンズの非球面偏倚量を示す断面図である。
【図１２】ωwを説明するための図である。
【図１３】本発明の撮像装置の概観を示す前方斜視図である。
【図１４】撮像装置の後方斜視図である。
【図１５】撮像装置の断面図である。
【図１６】撮像装置の主要部の内部回路の構成ブロック図である。
【発明を実施するための形態】
【００１８】
以下に、本発明にかかるズームレンズ及びそれを有する撮像装置の実施形態及び実施例を、図面に基づいて詳細に説明する。なお、この実施形態及び実施例によりこの発明が限定されるものではない。
【００１９】
本実施形態のズームレンズでは、ズームレンズの全長を短縮すると共に、例えば、広角端において３３度、更には３６度を越える半画角を確保し、２．８倍を超える変倍比を得ている。このようなスペックを得るべく、本実施形態のズームレンズでは、ズームレンズの全長の短縮の妨げにならない枚数のレンズで、屈折力配置が対称な光学系を実現している。
【００２０】
より具体的には、本実施形態のズームレンズでは、ズームレンズの全長の短縮の妨げにならないように、レンズの総数を各レンズ群で少なくし、これにより、レンズの総厚を各レンズ群で小さくしている。加えて、物体側から像側に順に、負屈折力、正屈折力及び負屈折力となる屈折力配置をズームレンズに持たせることで、広角端から望遠端にかけて屈折力配置が対称な形に近づくように、光学系を構成している。
【００２１】
本実施形態のズームレンズの構成について説明する。まず、基本構成について説明する。
【００２２】
本実施形態のズームレンズの基本構成では、ズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置されている。
【００２３】
このようにすることで、広角端から望遠端にかけて、すなわち、変倍域の全域で、屈折力配置が第２レンズ群（開口絞り）を中心として対称的な配置となるような構成をとりやすくなる。そのため、レンズ枚数を減らすことで広角端でのズームレンズの全長を短縮しても、レンズ枚数の減少による諸収差の悪化を抑制できる。このように、基本構成では、光学系の小型化と変倍域全域での安定した光学性能の確保とを容易としている。なお、安定した光学性能とは、例えば、諸収差の発生や変動が十分に抑制されていることをいう。
【００２４】
次に、好ましい構成や好ましい条件式について説明する。
【００２５】
本実施形態のズームレンズでは、第１レンズ群は、物体側から像側に順に、物体側サブレンズ群と、像側サブレンズ群と、からなり、第１レンズ群の物体側サブレンズ群は第１負レンズからなり、第１レンズ群の像側サブレンズ群は、第２負レンズと第１正レンズとを含むことが好ましい。
【００２６】
第１レンズ群の物体側サブレンズ群を第１負レンズで構成し、第１負レンズの負屈折力を大きくすることで、入射瞳を物体側に近づけることができる。このようにすることで、広角端での広い画角の確保と光学系の小径化に寄与できる。
【００２７】
ただし、第１負レンズの屈折力を大きくすると、広角端付近で非点収差が発生しやすくなり、また、望遠端付近では球面収差とコマ収差が発生しやすくなる。そこで、像側サブレンズ群を上述の構成とすることで、第１レンズ群全体での収差の発生を抑制できる。その結果、変倍域全域で安定した光学性能が得られる。
【００２８】
なお、第１負レンズは、物体側に凸面を向けた負メニスカスレンズとすることが好ましい。このようにすることで、第１負レンズでの非点収差とコマ収差の発生量を減らし、第１レンズ群全体で発生する収差の低減を行っている。
【００２９】
また、本実施形態のズームレンズでは、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接していることが好ましい。
【００３０】
第２レンズ群は、開口絞りの近傍に位置している。そのため、第２レンズ群は、球面収差やコマ収差の発生に大きく関与する。そこで、上述のように、第２レンズ群を物体側サブレンズ群と像側サブレンズ群とで構成することで、各々のサブレンズ群で発生した球面収差やコマ収差を、２つのサブレンズ群で打消しあうことができる。このように、第２レンズ群において、球面収差やコマ収差が良好に補正できる構成をとることができる。加えて、２つのサブレンズ群の間の空気間隔を適切に確保することで、非点収差に対する補正効果が得られる。
【００３１】
また本実施形態のズームレンズでは、第２レンズ群の像側サブレンズ群は、負屈折力をもつレンズ面と、そのレンズ面よりも像側に配置された正レンズと、を有することが好ましい。
【００３２】
このようにすることで、屈折力配置の対称性のバランス、特に負屈折力の大きさに関してバランスをなお一層向上できる。このように、屈折力の大きさのバランスを向上させることで、第２レンズ群の屈折力を大きくして光学系の小型化を行いつつ、変倍域全域での安定した光学性能の更なる向上を行っている。
【００３３】
また、本実施形態のズームレンズでは、以下の条件式（１）を満足することが好ましい。
３．０＜ΔＤ12／ＥＲS＜４．５      （１）
ただし、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ＥＲSは、開口絞りの開口部の最大半径、
である。
【００３４】
条件式（１）は光学系の小型化のための条件式であって、第１レンズ群と第２レンズ群との間の距離（間隔）について、その好ましい変化量を特定するものである。
【００３５】
条件式（１）の下限値を下回らないようにすることで、必要とする変倍比、例えば、２．８倍以上の変倍を確保する場合であっても、第１レンズ群と第２レンズ群とで、各々の屈折力の増大を抑制できる。そのため、第１レンズ群と第２レンズ群の各々で、レンズ枚数の増加を抑えながらも、変倍時の球面収差の変動と像面湾曲の変動を低減できる。
【００３６】
また、レンズ枚数の増加を抑制できるので、ズームレンズの格納に沈胴方式を用いる場合に、沈胴時の厚みを薄くできる。このように、条件式（１）の下限値を下回らないようにすることで、カメラの小型化にも寄与できる。
【００３７】
条件式（１）の上限値を上回らないようにすることで、第１レンズ群と第２レンズ群との間の距離が増大しすぎないようにできる。このようにすることで、ズームレンズの全長の短縮化に寄与できる。
【００３８】
また、本実施形態のズームレンズでは、以下の条件式（２）を満足することが好ましい。
１．０５＜｜ｆ3／ｆUN21｜＜２．１      （２）
ただし、
ｆ3は、第３レンズ群の焦点距離、
ｆUN21は、第２レンズ群の物体側サブレンズ群の焦点距離、
である。
【００３９】
条件式（２）は第３レンズ群の好ましいパワーを特定するものである。
【００４０】
条件式（２）の下限値を下回らないようにするか、あるいは、上限値を上回らないようにすることで、屈折力配置の対称性のバランス、特に負屈折力の大きさに関してバランスを良好にできる。このようにすることで、球面収差や像面湾曲の良好な補正に寄与でき、また、広角端での広い画角の確保と変倍域全域での安定した光学性能の確保に寄与できる。
【００４１】
また、本実施形態のズームレンズでは、以下の条件式（３）を満足することが好ましい。
−０．９＜ＳＦ2N＜１．５      （３）
ただし、
ＳＦ2N＝（Ｒ2NO＋Ｒ2NI）／（Ｒ2NO−Ｒ2NI）であり、
Ｒ2NOは、第１レンズ群の第２負レンズの物体側面の近軸曲率半径、
Ｒ2NIは、第１レンズ群の第２負レンズの像側面の近軸曲率半径、
である。
【００４２】
条件式（３）の下限値を下回らないようにすることで、第２負レンズの物体側面のフチ（周辺部）が第１負レンズ側に出っ張りすぎないようにすることができる。これにより、第２負レンズを第１負レンズに近づけやすくなるので、第１負レンズと第２負レンズとの間隔を小さくできる。このようにすることで、第１レンズ群の小型化に寄与できる。
【００４３】
条件式（３）の上限値を上回らないようにすることで、第２負レンズの物体側面で十分な非点収差の補正効果を得やすくしている。
【００４４】
また、本実施形態のズームレンズでは、以下の条件式（４）を満足することが好ましい。
１．２＜ΔＤ12／ＩＨMAX＜１．８５      （４）
ただし、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ＩＨMAXは、最大像高であり、変倍に伴って最大像高が変化する場合はその最大値、
である。
【００４５】
条件式（４）の技術的意義は条件式（１）の技術的意義と同じである。よって、条件式（４）の技術的意義についての説明は省略する。
【００４６】
また、本実施形態のズームレンズでは、以下の条件式（５）あるいは（５’）を満足することが好ましい。
０．８＜｜ｆ3／ｆW｜＜２．５      （５）
１．１＜｜ｆ3／ｆW｜＜１．９      （５’）
ただし、
ｆ3は、第３レンズ群の焦点距離、
ｆWは、広角端での無限遠物点合焦時におけるズームレンズ全系の焦点距離、
である。
【００４７】
条件式（５）、（５’）の技術的意義は条件式（２）の技術的意義と同じである。よって、条件式（５）、（５’）の技術的意義についての説明は省略する。
【００４８】
また、本実施形態のズームレンズでは、以下の条件式（６）あるいは（６’）を満足することが好ましい。
０．４３＜Σ2G／ｆ2＜０．７８      （６）
０．４５＜Σ2G／ｆ2＜０．７５      （６’）
ただし、
Σ2Gは、第２レンズ群の光軸上における厚さ、
ｆ2は、第２レンズ群の焦点距離、
である。
【００４９】
条件式（６）の下限値を下回らないようにすることで、像面湾曲がオーバーになる傾向を抑えやすくなる。これにより、変倍域全域で像面湾曲の増大を抑えやすくしている。また、第２レンズ群の屈折力の十分な確保が行いやすくなる。このようにすることで、ズームレンズの全長の短縮化に寄与できる。
【００５０】
条件式（６）の上限値を上回らないようにすることで、第２レンズ群の厚さの増大を抑えることができる。このようにすることで、ズームレンズの全長の短縮化に寄与できる。
【００５１】
条件式（６’）の技術的意義は条件式（６）の技術的意義と同じである。よって、条件式（６’）の技術的意義についての説明は省略する。
【００５２】
また、本実施形態のズームレンズでは、以下の条件式（７）を満足することが好ましい。
０．６＜ｆUN21／ｆ2＜１．８      （７）
ただし、
ｆUN21は、第２レンズ群の物体側サブレンズ群の焦点距離、
ｆ2は、第２レンズ群の焦点距離、
である。
【００５３】
条件式（７）の下限値を下回らないようにすることで、第２レンズ群の物体側サブレンズ群における球面収差やコマ収差の発生を抑制できる。また、これらの収差が発生しても、その発生量を抑制できるので、像側サブレンズ群でこれらの収差を打ち消しやすくなる。このようにすることで、光学性能の向上に寄与できる。
【００５４】
条件式（７）の上限値を上回らないようにすることで、第２レンズ群の屈折力を大きくすることが容易になる。このようにすることで、ズームレンズの全長の短縮化に寄与できる。
【００５５】
また、本実施形態のズームレンズでは、以下の条件式（８）を満足することが好ましい。
１．１７＜｜ｆ3／ｆ2｜＜１．９５      （８）
ただし、
ｆ2は、第２レンズ群の焦点距離、
ｆ3は、第３レンズ群の焦点距離、
である。
【００５６】
条件式（８）の下限値を下回らないようにすることで、第３レンズ群の屈折力を適度に小さくすることができる。このようにすることで、ズームレンズの全長の短縮化に寄与できる。
【００５７】
条件式（８）の上限値を上回らないようにすることで、第３レンズ群で発生する球面収差やコマ収差に対する補正作用を十分に確保できる。これにより、変倍域全域で安定した光学性能を得やすくなる。
【００５８】
また、本実施形態のズームレンズでは、以下の条件式（９）を満足することが好ましい。
１．１５＜ｆ2／ＩＨMAX＜１．５      （９）
ただし、
ｆ2は、第２レンズ群の焦点距離、
ＩＨMAXは、最大像高であり、変倍に伴って最大像高が変化する場合はその最大値、
である。
【００５９】
第２レンズ群では、球面収差やコマ収差が発生しやすい。そこで、条件式（９）の下限値を下回らないようにすることで、少ないレンズ枚数でこれらの収差の発生を抑制しやすくなる。このようにすることで、第２レンズ群の光軸方向の小型化に寄与できる。
【００６０】
条件式（９）の上限値を上回らないようにすることで、必要とする変倍比、例えば、２．８倍以上の変倍比の確保とズームレンズの全長の短縮化の両立に寄与できる。
【００６１】
また、本実施形態のズームレンズでは、以下の条件式（１０）を満足することが好ましい。
１．５＜ｆUN21／ＥＲS＜３．９      （１０）
ただし、
ｆUN21は、第２レンズ群の物体側サブレンズ群の焦点距離、
ＥＲSは、開口絞りの開口部の最大半径、
である。
【００６２】
条件式（１０）の技術的意義は条件式（７）の技術的意義と同じである。よって、条件式（１０）の技術的意義についての説明は省略する。
【００６３】
また、本実施形態のズームレンズでは、以下の条件式（１１）を満足することが好ましい。
３＜ＬＴＬmin／ｆｂLTLmin＜１３      （１１）
ただし、
ＬＴＬminは、無限遠物点合焦時におけるズームレンズの全長と空気換算したバックフォーカスとの和であり、変倍に伴って全長が変化する場合はその最小値、
全長は、ズームレンズの最も物体側の屈折面から最も像側の屈折面までの光軸上での距離、
ｆｂLTLminは、ＬＴＬminにおける空気換算したバックフォーカス、
である。
【００６４】
必要とする変倍比、例えば、２．８倍以上の変倍比を確保するためには、変倍比に応じた可変スペース、すなわち、レンズ群が移動するスペースが必要になる。条件式（１１）の下限値を下回らないようにすることで、必要とする変倍比に応じた可変スペースの確保をしやすくしている。
【００６５】
条件式（１１）の上限値を上回らないようにすることで、ズームレンズの全長の短縮を行っている。又、ズームレンズを交換レンズに用いた場合に、必要なバックフォーカスを確保して、カメラ本体との干渉（衝突）が起こらないようにしている。
【００６６】
以上、基本構成、好ましい構成と好ましい条件式について説明したが、基本構成に、好ましい構成や好ましい条件式を適宜組み合わせることで、より具体的に本実施形態のズームレンズを構成することができる。より具体的な本実施形態のズームレンズは、以下のとおりである。なお、各構成や各条件式の技術的意義については既に説明したので、以下では説明を省略する。
【００６７】
第１実施形態のズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接し、以下の条件式（１）、（２）を満足することを特徴とする。
３．０＜ΔＤ12／ＥＲS＜４．５      （１）
１．０５＜｜ｆ3／ｆUN21｜＜２．１      （２）
【００６８】
第２実施形態のズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、第１レンズ群は、物体側から像側に順に、物体側サブレンズ群と、像側サブレンズ群と、からなり、第１レンズ群の物体側サブレンズ群は第１負レンズからなり、第１レンズ群の像側サブレンズ群は、第２負レンズと第１正レンズとを含み、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接し、以下の条件式（１）、（３）を満足することを特徴とする。
３．０＜ΔＤ12／ＥＲS＜４．５      （１）
−０．９＜ＳＦ2N＜１．５      （３）
【００６９】
第３実施形態のズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、以下の条件式（４）、（５’）を満足することを特徴とする。
１．２＜ΔＤ12／ＩＨMAX＜１．８５      （４）
１．１＜｜ｆ3／ｆW｜＜１．９      （５’）
【００７０】
第４実施形態のズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、以下の条件式（４）、（６）を満足することを特徴とする。
１．２＜ΔＤ12／ＩＨMAX＜１．８５      （４）
０．４３＜Σ2G／ｆ2＜０．７８      （６）
【００７１】
第５実施形態のズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接し、以下の条件式（７）、（８）、（９）を満足することを特徴とする。
０．６＜ｆUN21／ｆ2＜１．８      （７）
１．１７＜｜ｆ3／ｆ2｜＜１．９５      （８）
１．１５＜ｆ2／ＩＨMAX＜１．５      （９）
【００７２】
第６実施形態のズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、第１レンズ群は、物体側から像側に順に、物体側サブレンズ群と、像側サブレンズ群と、からなり、第１レンズ群の物体側サブレンズ群は第１負レンズからなり、第１レンズ群の像側サブレンズ群は、第２負レンズと第１正レンズとを含み、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接し、第２レンズ群の像側サブレンズ群は、負屈折力をもつレンズ面と、そのレンズ面よりも像側に配置された正レンズと、を有し、以下の条件式（３）、（１０）、（１１）を満足することを特徴とする。
−０．９＜ＳＦ2N＜１．５      （３）
１．５＜ｆUN21／ＥＲS＜３．９      （１０）
３＜ＬＴＬmin／ｆｂLTLmin＜１３      （１１）
【００７３】
第７実施形態のズームレンズは、物体側から像側に順に、負屈折力の第１レンズ群と、正屈折力の第２レンズ群と、負屈折力の第３レンズ群と、を有し、変倍の際に、各レンズ群の間の距離は各々変化し、第１レンズ群と第２レンズ群との間の距離は、広角端よりも望遠端で短く、開口絞りが、第１レンズ群の像側面よりも像側で、且つ第２レンズ群の像側面よりも物体側に配置され、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接し、以下の条件式（２）、（４）を満足することを特徴とする。
１．０５＜｜ｆ3／ｆUN21｜＜２．１      （２）
１．２＜ΔＤ12／ＩＨMAX＜１．８５      （４）
【００７４】
また、第１〜第７実施形態のズームレンズ（以下、適宜、本実施形態のズームレンズとする）は、以下の構成や条件式を組み合わせることができる。
【００７５】
本実施形態のズームレンズでは、第３レンズ群の像側に配置された正屈折力の第４レンズ群を有し、変倍の際に、第３レンズ群と第４レンズ群との間の距離が変化することが好ましい。
【００７６】
このようにすると、負屈折力の第３レンズ群と正屈折力の第４レンズ群とを合成した光学系は、第３レンズ群よりも物体側のレンズ群で形成される像を拡大する拡大光学系となる。それにより、第１レンズ群の小径化を行なっている。また、射出瞳を撮像面（像面）から遠ざけやすくなる。このようにすることで、像の中心領域の光量と周辺領域の光量とのばらつきの改善に寄与できる。
【００７７】
また、本実施形態のズームレンズでは、第４レンズ群の最も物体側のレンズ面を物体側に凹を向けた面、最も像側のレンズ面を像側に凸を向けた面とすることが好ましい。このようにすることで、像面湾曲や歪曲収差の発生を抑制できる。また、このようにすることで、変倍域全域での安定した光学性能の確保に寄与できる。
【００７８】
また、本実施形態のズームレンズでは、第３レンズ群と第４レンズ群との間の距離は、広角端に対して望遠端にて長いことが好ましい。
【００７９】
このようにすることで、必要とする変倍比の確保に寄与できる。
【００８０】
また、本実施形態のズームレンズでは、第４レンズ群は変倍に際して静止することが好ましい。
【００８１】
変倍時に第４レンズ群を静止させることで、駆動機構の構造を簡素にしやすくなる。このようにすることで、光学系の小型化に寄与できる。また、ズームレンズの動作時の雑音低減にも寄与できる。
【００８２】
また、本実施形態のズームレンズでは、ズームレンズ中のレンズ群の総数が、第１レンズ群、第２レンズ群、第３レンズ群、第４レンズ群の４つであることが好ましい。
【００８３】
ズームレンズを４群ズームレンズにすることで、保持部材の構成を簡素にしやすくなる。このようにすることで、光学系の小型化に寄与できる。
【００８４】
また、本実施形態のズームレンズでは、第２レンズ群の物体側サブレンズ群と像側サブレンズ群は、第２レンズ群中で最も大きい軸上空気間隔を挟んで配置されることが好ましい。
【００８５】
このようにすることで、第２レンズ群における諸収差の良好な補正に寄与できる。なお、像側サブレンズ群は、複数のレンズ成分で構成されていても良い。この場合、第２レンズ群は、複数の軸上空気間隔を持つように構成されることになる。そこで、上述のようにすると、第２レンズ群において良好な収差補正が可能になる。
【００８６】
また、本実施形態のズームレンズでは、第２レンズ群の像側サブレンズ群は１つのレンズ成分からなり、そのレンズ成分は光路中にて物体側面と像側面の２面のみが空気と接し、第２レンズ群中のレンズ成分の総数は２であることが好ましい。
【００８７】
このようにすることで、第２レンズ群の小型化に寄与できる。
【００８８】
また、本実施形態のズームレンズでは、以下の条件式（５）を満足することが好ましい。
０．８＜｜ｆ3／ｆW｜＜２．５      （５）
ただし、
ｆ3は、第３レンズ群の焦点距離、
ｆWは、広角端での無限遠物点合焦時におけるズームレンズ全系の焦点距離、
である。
【００８９】
条件式（５）の技術的意義は既に説明したとおりである。
【００９０】
また、本実施形態のズームレンズでは、以下の条件式（１２）を満足することが好ましい。
−２０．０％＜ＤＴW＜−６．０％      （１２）
ただし、
ＤＴW＝｛ＩＨW−ｆw×ｔａｎ（ωW）｝／｛ｆW×ｔａｎ（ωW）｝×１００（％）、    ｆWは、広角端での無限遠物点合焦時におけるズームレンズ全系の焦点距離、
ＩＨWは、広角端での無限遠物点合焦時における最大像高、
ωWは、広角端での無限遠物点合焦時における半画角、
である。
【００９１】
条件式（１２）の下限値を下回らないようにして、像の歪みを低減することが好ましい。また、条件式（１２）の下限値を下回らないようにすることで、広角端でのディストーションを電気的に補正した場合であっても、補正後の画像の周辺での解像劣化を抑制できる。
【００９２】
条件式（１２）の上限値を上回らないようにすることで、非点収差の良好な補正と第１レンズ群の小型化に寄与できる。
【００９３】
また、本実施形態のズームレンズでは、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接し、以下の条件式（１３）を満足することが好ましい。
−１．５＜ＳＦUN21＜０．５      （１３）
ただし、
ＳＦUN21＝（ＲUN21O＋ＲUN21I）／（ＲUN21O−ＲUN21I）であり、
ＲUN21Oは、第２レンズ群の物体側サブレンズ群の物体側面の近軸曲率半径、
ＲUN21Iは、第２レンズ群の物体側サブレンズ群の像側面の近軸曲率半径、
である。
【００９４】
第２レンズ群の物体側サブレンズ群の入射面では、球面収差やコマ収差が発生しやすい。そこで、条件式（１３）の下限値を下回らないようにすることで、これらの収差の発生を抑制できる。このようにすることで、特に望遠端付近での良好な光学性能の確保に寄与できる。なお、良好な光学性能とは、例えば、諸収差の発生が十分に抑制されていることをいう。
【００９５】
条件式（１３）の上限を上回らないようにすることで、第２レンズ群の主点が像側に寄りすぎないようにして、必要とする変倍比の確保を行いやすくしている。
【００９６】
また、本実施形態のズームレンズでは、以下の条件式（１４）を満足することが好ましい。
０．３８＜Σ2G／ｆW＜０．７５      （１４）
ただし、
Σ2Gは、第２レンズ群の光軸上における厚さ、
ｆWは、広角端での無限遠物点合焦時におけるズームレンズ全系の焦点距離、
である。
【００９７】
条件式（１４）の下限値を下回らないようにして、像面湾曲を低減し、変倍域全域で像面湾曲の補正を行いやすくしている。
【００９８】
条件式（１４）の上限値を上回らないようにして、第２レンズ群の厚さを小さくし、これにより、ズームレンズの格納に沈胴方式を用いる場合に、沈胴時の厚みを薄くしている。また、このようにすることで、カメラを小型化している。
【００９９】
また、本実施形態のズームレンズでは、第２レンズ群は、物体側から像側に順に、正屈折力の物体側サブレンズ群と、像側サブレンズ群と、からなり、第２レンズ群の物体側サブレンズ群は１つのレンズ成分からなり、そのレンズ成分は光路中にて物体側面と像側面の２面のみが空気と接し、第２レンズ群の像側サブレンズ群は、負屈折力をもつレンズ面と、そのレンズ面よりも像側に配置された正レンズと、を有することが好ましい。
【０１００】
このような構成の技術的意義は既に説明したとおりである。
【０１０１】
また、本実施形態のズームレンズでは、以下の条件式（８）を満足することが好ましい。
１．１７＜｜ｆ3／ｆ2｜＜１．９５      （８）
ただし、
ｆ2は、第２レンズ群の焦点距離、
ｆ3は、第３レンズ群の焦点距離、
である。
【０１０２】
条件式（８）の技術的意義は既に説明したとおりである。
【０１０３】
また、本実施形態のズームレンズでは、以下の条件式（１５）を満足することが好ましい。
１．３＜｜ｆ3／ＩＨMAX｜＜２．５      （１５）
ただし、
ｆ3は、第３レンズ群の焦点距離、
ＩＨMAXは、最大像高であり、変倍に伴って最大像高が変化する場合はその最大値、
である。
【０１０４】
条件式（１５）の技術的意義は条件式（８）の技術的意義と同じである。よって、条件式（１５）の技術的意義についての説明は省略する。
【０１０５】
また、本実施形態のズームレンズでは、第３レンズ群は、比重が０．９ｇ／ｃｍ３より大きく１．３ｇ／ｃｍ３よりも小さいレンズを有することが好ましい。
【０１０６】
第３レンズ群については、変倍への関与を比較的少なくすることが可能である。そこで、第３レンズ群を用いて、フォーカシングや手ブレによる像ブレの低減を行うことが好ましい。なお、フォーカシングでは、第３レンズ群を光軸方向へ移動させれば良い。また、像ブレの低減では、第３レンズ群を光軸と直交する方向に移動（シフト移動）させれば良い。
【０１０７】
ここで、第３レンズ群が上述の比重の条件を満たすことで、第３レンズ群の軽量化と高い剛性の確保ができる。このようにすることで、第３レンズ群の移動時の追従性を向上させ、これにより、フォーカシングや像ブレの低減の高速化を行っている。
【０１０８】
また、本実施形態のズームレンズでは、第２レンズ群は、負レンズと、以下の条件式（１６）を満足する正レンズと、を有することが好ましい。
６３＜νp1＜９６      （１６）
ただし、
νp1は、第２レンズ群中の何れかの正レンズのｄ線基準のアッベ数、
である。
【０１０９】
第２レンズ群は開口絞りに近接しているため、色ごとの球面収差への影響が大きい。軸上色収差の補正には、正屈折力のレンズの分散を小さく、負屈折力のレンズの分散を大きくすることが好ましい。一方で、分散の大きいレンズは異常分散性も大きいため、分散が大きすぎるレンズでは色ごとの球面収差の補正がしにくくなる。そこで、条件式（１６）を満たすことでこれらの収差を良好に補正できる。
【０１１０】
条件式（１６）の下限値を下回らないようにすることで、正レンズの分散を低分散にできるので、相対的に負レンズの異常分散性の増大を抑制できる。このようにすることで、色収差の良好な補正に寄与できる。
【０１１１】
条件式（１６）の上限値を上回らないようにすることで、正レンズにある程度の大きさの分散を持たせることができるので、正レンズの異常分散性を低減できる。このようにすることで、色収差の良好な補正に寄与できる。
【０１１２】
また、本実施形態のズームレンズでは、第１レンズ群は、物体側から像側に順に、物体側サブレンズ群と、像側サブレンズ群と、からなり、第１レンズ群の物体側サブレンズ群は第１負レンズからなり、第１レンズ群の像側サブレンズ群は、第２負レンズと第１正レンズとを含むことが好ましい。
【０１１３】
このような構成の技術的意義は既に説明したとおりである。
【０１１４】
また、本実施形態のズームレンズでは、以下の条件式（３）を満足することが好ましい。
−０．９＜ＳＦ2N＜１．５      （３）
ただし、
ＳＦ2N＝（Ｒ2NO＋Ｒ2NI）／（Ｒ2NO−Ｒ2NI）であり、
Ｒ2NOは、第１レンズ群の第２負レンズの物体側面の近軸曲率半径、
Ｒ2NIは、第１レンズ群の第２負レンズの像側面の近軸曲率半径、
である。
【０１１５】
条件式（３）の技術的意義は既に説明したとおりである。
【０１１６】
また、本実施形態のズームレンズでは、以下の条件式（１７）を満足することが好ましい。
０．６＜ｆｂw／ＩＨMAX＜１．８      （１７）
ただし、
ｆｂWは、広角端での無限遠物点合焦時における空気換算したバックフォーカス、
ＩＨMAXは、最大像高であり、変倍に伴って最大像高が変化する場合はその最大値、
である。
【０１１７】
条件式（１７）の下限値を下回らないようにして、ズームレンズ全体を像面から離すことで、射出瞳を像面から遠ざけやすくなる。これにより、像面へ入射する光線の入射角を小さくできるので、像の中心領域の光量と周辺領域の光量とのばらつきを改善できる。
【０１１８】
条件式（１７）の上限値を上回らないようにすることで、ズームレンズの全長の短縮化と広角端での広い画角の確保に寄与できる。
【０１１９】
また、本実施形態のズームレンズでは、以下の条件式（１８）を満足することが好ましい。
０．４＜ｆ1／ｆ3＜１．２      （１８）
ただし、
ｆ1は、第１レンズ群の焦点距離、
ｆ3は、第３レンズ群の焦点距離、
である。
【０１２０】
条件式（１８）の下限値を下回らないようにすることで、第１レンズ群の負屈折力の増大を抑制し、光学系を小型化しても大きな負のディストーションが発生しないようにしている。
【０１２１】
条件式（１８）の上限値を上回らないようにすることで、第３レンズ群の負屈折力の増大を抑制し、光学系を小型化しても大きな正のディストーションが発生しないようにしている。また、第３レンズ群による倍率色収差の発生を低減しやすくなる。このようにすることで、第３レンズ群のレンズ枚数の低減と光学系の小型化に寄与できる。
【０１２２】
また、本実施形態のズームレンズでは、以下の条件式（６’）を満足することが好ましい。
０．４５＜Σ2G／ｆ2＜０．７５      （６’）
ただし、
Σ2Gは、第２レンズ群の光軸上における厚さ、
ｆ2は、第２レンズ群の焦点距離、
である。
【０１２３】
条件式（６’）の技術的意義は条件式（６）の技術的意義と同じである。よって、条件式（６’）の技術的意義についての説明は省略する。
【０１２４】
また、本実施形態のズームレンズでは、以下の条件式（７）を満足することが好ましい。
０．６＜ｆUN21／ｆ2＜１．８      （７）
ただし、
ｆUN21は、第２レンズ群の物体側サブレンズ群の焦点距離、
ｆ2は、第２レンズ群の焦点距離、
である。
【０１２５】
条件式（７）の技術的意義は既に説明したとおりである。
【０１２６】
また、本実施形態のズームレンズでは、以下の条件式（１９）を満足することが好ましい。
３＜ＬＴＬw／ｆｂw＜１３      （１９）
ただし、
ＬＴＬwは、広角端での無限遠物点合焦時におけるズームレンズの全長と空気換算したバックフォーカスとの和、
全長は、ズームレンズの最も物体側の屈折面から最も像側の屈折面までの光軸上での距離、
ｆｂwは、ＬＴＬwにおける空気換算したバックフォーカス、
である。
【０１２７】
条件式（１９）の技術的意義は条件式（１１）の技術的意義と同じである。よって、条件式（１９）の技術的意義についての説明は省略する。
【０１２８】
また、本実施形態のズームレンズでは、以下の条件式（２０）を満足することが好ましい。
０．６＜ｆUN21／ｆW＜１．９      （２０）
ただし、
ｆUN21は、第２レンズ群の物体側サブレンズ群の焦点距離、
ｆWは、広角端での無限遠物点合焦時におけるズームレンズ全系の焦点距離、
である。
【０１２９】
条件式（２０）の技術的意義は条件式（１０）の技術的意義と同じである。よって、条件式（２０）の技術的意義についての説明は省略する。
【０１３０】
また、本実施形態のズームレンズでは、以下の条件式（２０’）を満足することが好ましい。
０．６＜ｆUN21／ｆW＜１．６      （２０’）
ただし、
ｆUN21は、第２レンズ群の物体側サブレンズ群の焦点距離、
ｆWは、広角端での無限遠物点合焦時におけるズームレンズ全系の焦点距離、
である。
【０１３１】
条件式（２０’）の技術的意義は条件式（２０）の技術的意義と同じである。よって、条件式（２０’）の技術的意義についての説明は省略する。
【０１３２】
また、本実施形態のズームレンズでは、以下の条件式（２１）を満足することが好ましい。
０．３５＜ΔＤ12／ｆT＜０．６      （２１）
ただし、
ΔＤ12＝Ｄ12W−Ｄ12Tであり、
Ｄ12Wは、広角端での第１レンズ群と第２レンズ群との間の距離、
Ｄ12Tは、望遠端での第１レンズ群と第２レンズ群との間の距離であって、
いずれも、無限遠物点合焦時における光軸上での距離、
ｆTは、望遠端での無限遠物点合焦時におけるズームレンズ全系の焦点距離、
である。
【０１３３】
条件式（２１）の技術的意義は条件式（１）の技術的意義と同じである。よって、条件式（２１）の技術的意義についての説明は省略する。
【０１３４】
また、本実施形態のズームレンズでは、以下の条件式（２２）を満足することが好ましい。
０．３５＜｜ｆ3／ＥＲS｜＜１．０５      （２２）
ただし、
ｆ3は、第３レンズ群の焦点距離、
ＥＲSは、開口絞りの開口部の最大半径、
である。
【０１３５】
条件式（２２）の技術的意義は条件式（３）の技術的意義と同じである。よって、条件式（２２）の技術的意義についての説明は省略する。
【０１３６】
また、本実施形態のズームレンズでは、第１レンズ群は、以下の条件式（２３）を満足するプラスチック非球面レンズを有することが好ましい。
０．０００１＜｜ＡＳＰO−ＡＳＰI｜／ＩＨ33W＜０．０２      （２３）
ただし、
ＩＨ33Wは、広角端での無限遠物点合焦時におけるズームレンズの入射側半画角が３３°となる主光線と近軸像面とが交わる位置の光軸からの距離、
ＡＳＰOは、プラスチック非球面レンズの物体側面の光軸からの距離がＩＨ33Wとなる位置での非球面偏倚量、
ＡＳＰIは、プラスチック非球面レンズの像側面の光軸からの距離がＩＨ33Wとなる位置での非球面偏倚量、
であり、
非球面偏倚量は、対象とする面の面頂を面頂とし、且つ曲率半径を対象とする面の近軸曲率半径と同じとした参照球面から対象とする面までの光軸方向での距離であり、参照球面に対して対象とする面が像側にある場合を正符号とする。
【０１３７】
第１レンズ群は、特に、広角端付近における像面湾曲の良好な補正に寄与する。そこで、第１レンズ群中に非球面レンズを使用することで、像面湾曲の補正効果を一層高めている。また、第１レンズ群は、他のレンズ群と比較して径方向の大きさが大きい。そこで、第１レンズ群にプラスチック非球面レンズを使うことで、非球面効果と合わせてレンズコストの増大も抑えている。
【０１３８】
一方、プラスチックレンズは温度による面形状の変化がガラスより大きいため、温度変化により像面湾曲が発生する。そこで、条件式（２３）の下限値を下回らないようにすることで、非球面効果を得つつ、上限値を上回らないようにすることで、温度変化による収差の変動を抑制している。
【０１３９】
なお、非球面偏倚量は、図１１に示すように、非球面の面頂と同じ面頂を持ちその非球面の近軸曲率半径を曲率半径とする球面を基準球面としたとき、光軸に平行な方向に測ったときのその基準球面からその非球面までの距離であり、像側方向（図の右方向）を正符号とする。
【０１４０】
また、プラスチックレンズに使用するプラスチック材料については、その熱膨張係数αが、以下の条件式を満足することが好ましい。
２ｅ−５  μｍ／℃  ＜α＜８ｅ−５  μｍ／℃  
ここで、熱膨張係数αは、１ｍあたり温度が１℃上昇したときにαμｍ寸法変化することを意味する。
【０１４１】
この条件式を満足することで、成形のしやすさと温度変化による収差変動の抑制の両立が図りやすくなる。
【０１４２】
また、本実施形態のズームレンズでは、プラスチック非球面レンズの物体側面と像側面が共に非球面であることが好ましい。
【０１４３】
このようにすることで、非球面による収差補正機能を一層高められる。
【０１４４】
また、本実施形態のズームレンズでは、広角端にて、半画角が３３°以上の光線がズームレンズ中を通過可能であり、以下の条件式（２４）を満足することが好ましい。
２．６＜ｆT／ｆW＜５．０      （２４）
ただし、
ｆTは、望遠端での無限遠物点合焦時におけるズームレンズ全系の焦点距離、
ｆWは、広角端での無限遠物点合焦時におけるズームレンズ全系の焦点距離、
である。
【０１４５】
条件式（２４）の下限値を下回らないように適切な変倍比を確保することで、種々撮影シーンに応じて適した画角を選択可能としている。
【０１４６】
条件式（２４）の上限値を上回らないようにすることで、ズームレンズの全長の短縮化と良好な光学性能の確保の両立に寄与できる。
【０１４７】
また、本実施形態のズームレンズでは、第２レンズ群は、第２レンズ群中で最も物体側に配置された正屈折力の単レンズと、物体側から順に負レンズと正レンズからなる接合レンズと、からなり、開口絞りが第２レンズ群中の単レンズと接合レンズとの間に位置することが好ましい。
【０１４８】
このようにすることで、少ないレンズ枚数にて、第２レンズ群の屈折力を適切に確保すると共に、良好な収差補正機能を確保している。また、開口絞りを第２レンズ群の中心付近に配置できるので、このようにすることで、開口絞りに対する屈折力配置の対称性、特に負屈折力の大きさに関する対称性の確保に寄与できると共に、光学系の小型化と良好な光学性能の確保に一層寄与できる。
【０１４９】
広角端から望遠端への変倍の際に、各レンズ群の間の距離は各々変化する。ここで、広角端から望遠端への変倍の際、各レンズ群の動きは次のようにすることが好ましい。第１レンズ群は像側に移動した後、物体側に移動することが好ましい。第２レンズ群Ｇ２は、物体側に移動することが好ましい。第３レンズ群Ｇ３は、物体側に移動することが好ましい。また、第３レンズ群よりも像側にレンズ群がある場合、このレンズ群は固定である（静止している）ことが好ましい。また、開口絞り（絞り）Ｓは、第２レンズ群Ｇ２と共に物体側に移動することが好ましい。
【０１５０】
また、本実施形態の撮像装置では、ズームレンズと、撮像面を持ち且つズームレンズにより撮像面上に形成された像を電気信号に変換する撮像素子と、を有し、ズームレンズが上述のズームレンズであることを特徴とする。
【０１５１】
このようにすることで、諸収差の良好な補正と光学系の小型化とが両立されたズームレンズを有する撮像装置を提供することができる。
【０１５２】
なお、ズームレンズがフォーカシング機能をもつ場合、上述の各構成は無限遠物点に合焦した状態での構成とする。
【０１５３】
また、上述の構成は相互に複数を同時に満足することがより好ましい。また、一部の構成を同時に満足するようにしてもよい。例えば、上述のズームレンズや撮像装置の何れかにて上述のズームレンズの何れかを用いるようにしてもよい。
【０１５４】
また、条件式については、それぞれの条件式を個別に満足させるようにしても良い。このようにすると、それぞれの効果を得やすくなるので好ましい。
【０１５５】
また、各条件式について、以下のように下限値、または上限値を変更しても良い、このようにすることで、各条件式の効果を一層確実にできるので好ましい。
【０１５６】
条件式（１）について
下限値を３．３、更には３．６とすることがより好ましい。
上限値を４．３、更には４．２とすることがより好ましい。
条件式（２）について
下限値を１．２、更には１．３とすることがより好ましい。
上限値を１．９、更には１．８とすることがより好ましい。
条件式（３）について
下限値を−０．５、更には０とすることがより好ましい。
上限値を１．３、更には０．６とすることがより好ましい。
条件式（４）について
下限値を１．３５、更には１．５とすることがより好ましい。
上限値を１．７５、更には１．７とすることがより好ましい。
条件式（５）について
下限値を１．１、更には１．２とすることがより好ましい。
上限値を１．９、更には１．８とすることがより好ましい。
条件式（５’）について
下限値を１．２とすることがより好ましい。
上限値を１．８とすることがより好ましい。
条件式（６）について
下限値を０．４５、更には０．５とすることがより好ましい。
上限値を０．７５、更には０．７とすることがより好ましい。
条件式（６’）について
下限値を０．５とすることがより好ましい。
上限値を０．７とすることがより好ましい。
条件式（７）について
下限値を０．８、更には０．８５とすることがより好ましい。
上限値を１．６、更には１．４とすることがより好ましい。
条件式（８）について
下限値を１．２５、更には１．３とすることがより好ましい。
上限値を１．８、更には１．７５とすることがより好ましい。
条件式（９）について
下限値を１．１８、更には１．２０とすることがより好ましい。
上限値を１．４０、更には１．３５とすることがより好ましい。
条件式（１０）について
下限値を１．８、２．０、更には２．５とすることがより好ましい。
上限値を３．８５、更には３．５とすることがより好ましい。
条件式（１１）について
下限値を３．５、更には３．９とすることがより好ましい。
上限値を８、更には４．５とすることがより好ましい。
条件式（１２）について
下限値を−１７．０％、更には−１５．０％とすることがより好ましい。
上限値を−８．０％、更には−１０．０％とすることがより好ましい。
条件式（１３）について
下限値を−１．３、更には−１．３５とすることがより好ましい。
上限値を−０．１、更には−０．５とすることがより好ましい。
条件式（１４）について
下限値を０．４５、更には０．５４とすることがより好ましい。
上限値を０．７２、更には０．７とすることがより好ましい。
条件式（１５）について
下限値を１．５、更には１．６とすることがより好ましい。
上限値を２．４５、２．４、更には２．３とすることがより好ましい。
条件式（１６）について
下限値を６５、更には６７とすることがより好ましい。
上限値を８５、更には８２とすることがより好ましい。
条件式（１７）について
下限値を０．９、更には１．２５とすることがより好ましい。
上限値を１．６、更には１．４とすることがより好ましい。
条件式（１８）について
下限値を０．６、更には０．７とすることがより好ましい。
上限値を１．１、更には１．０５とすることがより好ましい。
条件式（１９）について
下限値を３．５、更には４．１とすることがより好ましい。
上限値を９、７、更には５とすることがより好ましい。
条件式（２０）について
下限値を０．７、更には０．８とすることがより好ましい。
上限値を１．６、１．５、更には１．３とすることがより好ましい。
条件式（２０’）について
下限値を０．７、更には０．８とすることがより好ましい。
上限値を１．５、更には１．３とすることがより好ましい。
条件式（２１）について
下限値を０．４、更には０．４１とすることがより好ましい。
上限値を０．５５、更には０．４６とすることがより好ましい。
条件式（２２）について
下限値を０．４０、更には０．４５とすることがより好ましい。
上限値を０．９５、更には０．８５とすることがより好ましい。
条件式（２３）について
下限値を０．０００３、更には０．０００５とすることがより好ましい。
上限値を０．０１５、更には０．０１とすることがより好ましい。
条件式（２４）について
下限値を２．７、更には２．８とすることがより好ましい。
上限値を４．０、更には３．５とすることがより好ましい。
【０１５７】
ωw（広角端での無限遠物点合焦時における半画角）について、図１２を用いて説明する。図１２には、ズームレンズ、明るさ絞り及び撮像面が、光軸上に配置されている様子が示されている。ズームレンズに入射した光線は、明るさ絞りを通過したのち、ズームレンズから出射して撮像面に到達する。
【０１５８】
図１２において、実線で示す光線Ｌは、明るさ絞りの中心を通過する光線のうち、有効撮像領域上の点Ｘに到達する光線を示している。この点Ｘは、有効撮像領域のなかで光軸から最も離れた位置である。ここで、有効撮像領域は物体像が形成されている領域であるため、点Ｘは最大像高位置になる。このように、光線Ｌは、明るさ絞り中心を通過して有効撮像領域の最大像高位置に入射する光線である。そして、ωwは、広角端における、光線Ｌの光軸に対する半画角である。
【０１５９】
以下に、本発明に係る撮像装置に用いられるズームレンズの実施例を、図面に基づいて詳細に説明する。なお、この実施例によりこの発明が限定されるものではない。
【０１６０】
以下、ズームレンズの実施例１〜５について説明する。実施例１〜５のレンズ断面図を、それぞれ図１〜図５に示す。図１〜図５中、（ａ）は、広角端におけるレンズ断面図、（ｂ）は、中間焦点距離状態におけるレンズ断面図、（ｃ）は、望遠端におけるレンズ断面図である。なお、（ａ）〜（ｃ）は、いずれも、無限遠物点合焦時のレンズ断面図である。
【０１６１】
また、第１レンズ群はＧ１、第２レンズ群はＧ２、第３レンズ群はＧ３、第４レンズ群はＧ４、開口絞り（明るさ絞り）はＳ、フレア絞りはＳＦ、像面（撮像面）はＩで示してある。また、図示されていないが、第３レンズ群Ｇ３と像面Ｉとの間に、ローパスフィルタを構成する平行平板や、電子撮像素子のカバーガラスが配置されていても良い。なお、平行平板の表面に、赤外光を制限する波長域制限コートを施しても良い。また、カバーガラスの表面に波長域制限用の多層膜を施してもよい。また、そのカバーガラスＣにローパスフィルタ作用を持たせるようにしてもよい。
【０１６２】
また、実施例１〜５のズームレンズでは、像高は、広角端、中間焦点距離状態及び望遠端が同じとなっている。しかしながら、広角端での像高を小さくしてもよい。これは、広角端における像をたる型形状にして、たる型の画像を電気的に矩形の画像に変換することでディストーションを補正できるからである。なお、電気的なディストーション補正については、詳細を省略する。
【０１６３】
実施例１のズームレンズは、図１に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞り（絞り）Ｓは、第２レンズ群Ｇ２中に配置されている。
【０１６４】
第１レンズ群Ｇ１は、物体側に凸面を向けた負メニスカスレンズＬ１と、両凹負レンズＬ２と、物体側に凸面を向けた正メニスカスレンズＬ３と、で構成されている。
【０１６５】
第２レンズ群Ｇ２は、物体側に凸面を向けた正メニスカスレンズＬ４と、物体側に凸面を向けた負メニスカスレンズＬ５と、両凸正レンズＬ６と、で構成されている。ここで、負メニスカスレンズＬ５と両凸正レンズＬ６とが接合されている。
【０１６６】
第３レンズ群Ｇ３は、両凹負レンズＬ７で構成されている。両凹負レンズＬ７には、シクロオレフィンポリマー（比重：１．０１９ｇ／ｃｍ３）が用いられている。
【０１６７】
第４レンズ群Ｇ４は、両凸正レンズＬ８で構成されている。
【０１６８】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１６９】
合焦時、第３レンズ群Ｇ３が、光軸に沿って移動する。
【０１７０】
非球面は、正メニスカスレンズＬ４の両面と、両凸正レンズＬ６の像側面と、両凹負レンズＬ７の両面と、両凸正レンズＬ８の両面との、合計７面に設けられている。
【０１７１】
実施例２のズームレンズは、図２に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞り（絞り）Ｓは、第２レンズ群Ｇ２中に配置されている。
【０１７２】
第１レンズ群Ｇ１は、物体側に凸面を向けた負メニスカスレンズＬ１と、両凹負レンズＬ２と、物体側に凸面を向けた正メニスカスレンズＬ３と、で構成されている。
【０１７３】
第２レンズ群Ｇ２は、物体側に凸面を向けた正メニスカスレンズＬ４と、物体側に凸面を向けた負メニスカスレンズＬ５と、両凸正レンズＬ６と、で構成されている。ここで、負メニスカスレンズＬ５と両凸正レンズＬ６とが接合されている。
【０１７４】
第３レンズ群Ｇ３は、両凹負レンズＬ７で構成されている。両凹負レンズＬ７には、シクロオレフィンポリマー（比重：１．０１９ｇ／ｃｍ３）が用いられている。
【０１７５】
第４レンズ群Ｇ４は、像側に凸面を向けた正メニスカスレンズＬ８で構成されている。
【０１７６】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１７７】
合焦時、第３レンズ群Ｇ３が、光軸に沿って移動する。
【０１７８】
非球面は、正メニスカスレンズＬ３の両面と、正メニスカスレンズＬ４の両面と、両凸正レンズＬ６の像側面と、両凹負レンズＬ７の両面と、正メニスカスレンズＬ８の両面との、合計９面に設けられている。
【０１７９】
実施例３のズームレンズは、図３に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞り（絞り）Ｓは、第２レンズ群Ｇ２中に配置されている。また、フレア絞りＳＦが第２レンズ群の最も像側に配置されている。
【０１８０】
第１レンズ群Ｇ１は、物体側に凸面を向けた負メニスカスレンズＬ１と、両凹負レンズＬ２と、物体側に凸面を向けた正メニスカスレンズＬ３と、で構成されている。
【０１８１】
第２レンズ群Ｇ２は、両凸正レンズＬ４と、物体側に凸面を向けた負メニスカスレンズＬ５と、両凸正レンズＬ６と、で構成されている。ここで、負メニスカスレンズＬ５と両凸正レンズＬ６とが接合されている。
【０１８２】
第３レンズ群Ｇ３は、両凹負レンズＬ７で構成されている。両凹負レンズＬ７には、シクロオレフィンポリマー（比重：１．０１９ｇ／ｃｍ３）が用いられている。
【０１８３】
第４レンズ群Ｇ４は、両凸正レンズＬ８で構成されている。
【０１８４】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１８５】
合焦時、第３レンズ群Ｇ３が、光軸に沿って移動する。
【０１８６】
非球面は、両凹負レンズＬ２の両面と、正メニスカスレンズＬ３の両面と、両凸正レンズＬ４の両面と、両凹負レンズＬ７の両面との、合計８面に設けられている。
【０１８７】
実施例４のズームレンズは、図４に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞り（絞り）Ｓは、第２レンズ群Ｇ２中に配置されている。
【０１８８】
第１レンズ群Ｇ１は、物体側に凸面を向けた負メニスカスレンズＬ１と、両凹負レンズＬ２と、物体側に凸面を向けた正メニスカスレンズＬ３と、で構成されている。
【０１８９】
第２レンズ群Ｇ２は、両凸正レンズＬ４と、物体側に凸面を向けた負メニスカスレンズＬ５と、両凸正レンズＬ６と、で構成されている。ここで、負メニスカスレンズＬ５と両凸正レンズＬ６とが接合されている。
【０１９０】
第３レンズ群Ｇ３は、物体側に凸面を向けた負メニスカスレンズＬ７で構成されている。負メニスカスレンズＬ７には、シクロオレフィンポリマー（比重：１．０１９ｇ／ｃｍ３）が用いられている。
【０１９１】
第４レンズ群Ｇ４は、像側に凸面を向けた正メニスカスレンズＬ８で構成されている。
【０１９２】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０１９３】
合焦時、第３レンズ群Ｇ３が、光軸に沿って移動する。
【０１９４】
非球面は、両凹負レンズＬ２の両面と、両凸正レンズＬ４の両面と、負メニスカスレンズＬ７の両面との、合計６面に設けられている。
【０１９５】
実施例５のズームレンズは、図５に示すように、物体側から順に、負屈折力の第１レンズ群Ｇ１と、正屈折力の第２レンズ群Ｇ２と、負屈折力の第３レンズ群Ｇ３と、正屈折力の第４レンズ群Ｇ４と、で構成されている。開口絞り（絞り）Ｓは、第２レンズ群Ｇ２中に配置されている。
【０１９６】
第１レンズ群Ｇ１は、両凹負レンズＬ１と、物体側に凸面を向けた正メニスカスレンズＬ２と、で構成されている。
【０１９７】
第２レンズ群Ｇ２は、物体側に凸面を向けた正メニスカスレンズＬ３と、物体側に凸面を向けた負メニスカスレンズＬ４と、物体側に凸面を向けた正メニスカスレンズＬ５と、で構成されている。ここで、負メニスカスレンズＬ４と正メニスカスレンズＬ５とが接合されている。
【０１９８】
第３レンズ群Ｇ３は、物体側に凸面を向けた負メニスカスレンズＬ６で構成されている。負メニスカスレンズＬ７には、シクロオレフィンポリマー（比重：１．０１９ｇ／ｃｍ３）が用いられている。
【０１９９】
第４レンズ群Ｇ４は、両凸正レンズＬ７で構成されている。
【０２００】
広角端から望遠端への変倍時、第１レンズ群Ｇ１は像側に移動した後、物体側に移動する。第２レンズ群Ｇ２は物体側に移動する。第３レンズ群Ｇ３は物体側に移動する。第４レンズ群Ｇ４は固定である（静止している）。開口絞り（絞り）Ｓは、第２レンズ群Ｇ２と共に物体側に移動する。
【０２０１】
合焦時、第３レンズ群Ｇ３が、光軸に沿って移動する。
【０２０２】
非球面は、両凹負レンズＬ１の両面と、正メニスカスレンズＬ２の両面と、正メニスカスレンズＬ３の両面と、正メニスカスレンズＬ５の像側面と、負メニスカスレンズＬ６の両面と、両凸正レンズＬ７の両面との、合計１１面に設けられている。
【０２０３】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ｆは全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離（空気換算なし）、ｆ１、ｆ２…は各レンズ群の焦点距離である。なお、ＦＢ（バックフォーカス）は、レンズ最終面から近軸像面までの距離を空気換算して表したものである。また、広角は広角端、中間は中間焦点距離状態、望遠は望遠端を表している。
【０２０４】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０２０５】
数値実施例１
単位ｍｍ
面データ
面番号       r           d        nd        νd
物面        ∞           ∞
1         33.501       0.800    1.77250    49.60
2         11.209       4.041
3        -45.096       0.700    1.49700    81.54
4         23.551       0.289
5         16.607       1.820    2.00100    29.13
6         30.330       可変
7*        10.861       2.248    1.80139    45.45
8*       234.877       0.539
9（絞り）  ∞          1.100
10        903.915       0.400    1.66680    33.05
11          7.093       3.523    1.49700    81.54
12*       -19.000       可変
13*       -36.032       0.600    1.53071    55.69
14*        19.120       可変
15*       681.183       4.279    1.53071    55.69
16*       -19.776      14.218
像面       ∞
非球面データ
第７面
k=0.0000
A4=5.7968e-005,A6=5.3399e-007,A8=4.2448e-008,A10=3.5914e-010,A12=1.8404e-012
第８面
k=0.0000
A4=1.7402e-004,A6=-1.2118e-006,A8=1.1537e-007,A10=-8.4375e-010,A12=-2.0822e-011
第１２面
k=0.0000
A4=6.3514e-005,A6=8.6302e-006,A8=-4.8301e-007,A10=1.7306e-008,A12=-2.6091e-011
第１３面
k=0.0000
A4=1.3252e-003,A6=-3.5798e-005,A8=-6.7078e-007,A10=4.2140e-008,A12=1.1014e-010
第１４面
k=0.0000
A4=1.4150e-003,A6=-3.2179e-005,A8=-7.7489e-007,A10=4.2602e-008,A12=-2.5783e-011
第１５面
k=0.0000
A4=-7.3221e-005,A6=1.8445e-006,A8=-8.7997e-009,A10=-2.8574e-011,A12=2.2692e-013
第１６面
k=0.0000
A4=-4.0767e-005,A6=5.4018e-008,A8=1.9184e-008,A10=-2.0974e-010,A12=6.4768e-013
ズームデータ
広角端         中間           望遠端
ｆ                 14.240         24.250         41.180
ＦＮＯ．            3.596          4.418          5.802
２ω               82.4           49.4           29.9
ＩＨ               11.15          11.15          11.15
ＦＢ               14.218         14.218         14.218
全長               48.919         44.885         47.867
d6                18.700          7.466          0.500
d12                 2.031          5.615         11.656
d14                 7.849         11.465         15.372
群焦点距離
f1=-19.884     f2=14.338     f3=-23.449     f4=36.289
【０２０６】
数値実施例２
単位ｍｍ
面データ
面番号       r           d        nd        νd
物面        ∞           ∞
1         64.702       0.800    1.69680    55.53
2         11.606       3.422
3        -88.327       0.700    1.49700    81.54
4         27.506       0.200
5*        15.778       1.914    1.63493    23.90
6*        31.865       可変
7*        10.795       2.116    1.80139    45.45
8*       113.014       0.849
9（絞り）  ∞          1.000
10         28.817       0.400    1.90366    31.32
11          7.100       3.500    1.59201    67.02
12*       -24.966       可変
13*      -171.145       0.600    1.53071    55.69
14*        11.052       可変
15*       -97.090       3.574    1.76802    49.24
16*       -20.177      14.438
像面        ∞
非球面データ 
第５面
k=0.0000
A4=-8.1884e-005,A6=-2.7042e-007,A8=1.4238e-008,A10=-4.0588e-010
第６面
k=0.0000
A4=-9.9349e-005,A6=4.2182e-007,A8=-6.1084e-009,A10=-2.2166e-010
第７面
k=0.0000
A4=4.2062e-005,A6=-5.7246e-007,A8=7.1083e-008,A10=-1.2063e-009
第８面
k=0.0000
A4=1.6242e-004,A6=-1.7979e-006,A8=1.0048e-007,A10=-2.0625e-009
第１２面
k=0.0000
A4=3.4943e-005,A6=2.8257e-006,A8=-7.7626e-008,A10=4.2720e-009
第１３面
k=0.0000
A4=5.1140e-004,A6=-3.3672e-005,A8=1.0216e-006,A10=-1.3810e-008
第１４面
k=0.0000
A4=5.7630e-004,A6=-3.2837e-005,A8=8.6468e-007,A10=-1.0733e-008
第１５面
k=0.0000
A4=-3.8824e-005,A6=7.4513e-007,A8=-2.1479e-009,A10=-1.0307e-011
第１６面
k=0.0000
A4=-2.5322e-005,A6=2.0336e-007,A8=3.7625e-009,A10=-2.9594e-011
ズームデータ
広角端         中間           望遠端
ｆ                 14.240         24.250         41.180
ＦＮＯ．            3.599          4.422          5.731
２ω               82.4           49.2           29.4
ＩＨ               11.15          11.15          11.15
ＦＢ               14.438         14.438         14.438
全長               46.746         44.301         46.603
d6                17.597          7.338          0.500
d12                 2.235          5.330         11.119
d14                 7.839         12.558         15.909
群焦点距離
f1=-18.802     f2=13.533     f3=-19.540     f4=32.507
【０２０７】
数値実施例３
単位ｍｍ
面データ
面番号       r           d        nd        νd
物面        ∞           ∞
1         26.756       0.500    1.80400    46.57
2          9.825       3.870
3*       -59.361       0.600    1.53071    55.69
4*        20.071       0.344
5*        12.459       2.108    1.63493    23.90
6*        33.129       可変
7*        11.351       2.578    1.80610    40.88
8*       -73.783       1.000
9（絞り）  ∞          0.961
10         54.984       0.519    1.80000    29.84
11          6.363       3.937    1.49700    81.54
12        -18.990       0.000 
13（絞り）  ∞          可変
14*       -38.199       0.525    1.53071    55.69
15*        13.061       可変
16         72.188       3.692    1.76200    40.10
17        -35.038      14.481
像面        ∞
非球面データ 
第３面
k=0.0000
A4=6.6345e-005,A6=-5.0207e-007,A8=2.1595e-009
第４面
k=0.0000
A4=-2.2600e-005
第５面
k=0.0000
A4=-8.7714e-005
第６面
k=0.0000
A4=4.8290e-006,A6=-4.7938e-007,A8=2.6845e-009
第７面
k=0.0000
A4=-3.2000e-005,A6=-3.6289e-007,A8=-3.0000e-009
第８面
k=0.0000
A4=7.2057e-005,A6=-4.5933e-007
第１４面
k=0.0000
A4=2.8473e-005,A6=2.1654e-006
第１５面
k=0.0000
A4=5.6057e-005,A6=4.7498e-007,A8=-1.1679e-008
ズームデータ
広角端         中間           望遠端
ｆ                 14.233         24.250         41.282
ＦＮＯ．            3.640          4.518          5.738
２ω               82.4           49.5           29.1
ＩＨ               11.15          11.15          11.15
ＦＢ               14.481         14.481         14.481
全長               48.096         46.306         48.308
d6                17.971          7.749          0.700
d13                 1.857          5.158         11.607
d15                 7.634         12.765         15.367
群焦点距離
f1=-18.194     f2=13.826     f3=-18.275     f4=31.424
【０２０８】
数値実施例４
単位ｍｍ
面データ
面番号       r           d        nd        νd
物面        ∞           ∞
1         44.846       0.500    1.77250    49.60
2         10.080       4.150
3*       -40.189       0.760    1.53071    55.69
4*        38.530       0.190
5         17.821       1.700    2.00069    25.46
6         37.691       可変
7*        12.147       2.711    1.74156    49.21
8*       -62.740       1.000
9（絞り）  ∞          1.120
10        136.852       0.520    1.74951    35.33
11          6.962       4.200    1.49700    81.54
12        -15.588       可変
13*        47.328       0.400    1.53071    55.69
14*        10.352       可変
15        -99.929       2.300    1.83481    42.73
16        -26.850      15.335
像面        ∞
非球面データ 
第３面
k=0.0000
A4=6.6785e-005,A6=-8.8705e-007,A8=-9.6050e-010,A10=-8.1513e-013
第４面
k=0.0000
A4=5.6775e-005,A6=-1.1574e-006,A8=-1.5695e-011
第７面
k=0.0000
A4=-2.4426e-005,A6=-3.5991e-007,A8=1.4222e-008,A10=-7.5500e-010
第８面
k=0.0000
A4=8.7510e-005,A6=-3.4669e-007,A8=3.1047e-010,A10=-5.2955e-010
第１３面
k=0.0000
A4=-4.2631e-004,A6=8.4142e-006,A8=8.5933e-008,A10=-1.9000e-009
第１４面
k=0.0000
A4=-4.7992e-004,A6=9.9258e-006,A8=-5.6689e-008
ズームデータ
広角端         中間           望遠端
ｆ                 14.323         24.252         41.582
ＦＮＯ．            3.645          4.697          5.798
２ω               83.7           49.5           29.2
ＩＨ               11.15          11.15          11.15
ＦＢ               15.334         15.334         15.334
全長               48.921         45.522         50.145
d6                17.997          7.188          0.500
d12                 1.268          5.104         11.309
d14                10.105         13.679         18.785
群焦点距離
f1=-18.140     f2=14.653     f3=-25.060     f4=43.359
【０２０９】
数値実施例５
単位ｍｍ
面データ
面番号       r           d        nd        νd
物面        ∞           ∞
1*      -461.393       0.800    1.86400    40.58
2*        11.063       2.637
3*        18.993       2.251    1.92286    20.88
4*        46.130       可変
5*        11.342       1.969    1.75501    51.16
6*        81.309       1.264
7（絞り）  ∞          2.052
8         24.185       0.400    1.66680    33.05
9          6.053       3.389    1.55332    71.68
10*       200.000       可変
11*       282.863       0.500    1.53071    55.69
12*        13.402       可変
13*       156.989       3.483    1.76802    49.24
14*       -29.889      14.059
像面        ∞
非球面データ 
第１面
k=0.0000
A4=1.3367e-005,A6=-2.5655e-007,A8=8.0868e-010
第２面
k=0.0000
A4=-4.4507e-005,A6=-2.7242e-007,A8=-7.2137e-009
第３面
k=0.0000
A4=-4.9213e-005
第４面
k=0.0000
A4=-5.7000e-005
第５面
k=0.0000
A4=-2.2138e-005
第６面
k=0.0000
A4=3.7409e-006,A6=2.5909e-008
第１０面
k=0.0000
A4=1.8000e-004,A6=2.1105e-006,A8=-7.0000e-009
第１１面
k=0.0000
A4=-4.7516e-006,A6=-9.9206e-006,A8=5.1820e-007,A10=-9.8198e-009
第１２面
k=0.0000
A4=-4.9496e-007,A6=-6.6995e-006,A8=2.9424e-007,A10=-5.4932e-009
第１３面
k=0.0000
A4=-2.0000e-005,A6=8.4626e-008,A8=3.4000e-009,A10=-3.6422e-011
第１４面
k=0.0000
A4=-1.1571e-005,A6=-2.7433e-007,A8=7.3343e-009,A10=-4.8697e-011
ズームデータ
広角端         中間           望遠端
ｆ                 14.370         24.361         41.394
ＦＮＯ．            3.707          4.483          5.828
２ω               83.1           48.9           29.2
ＩＨ               11.15          11.15          11.15
ＦＢ               14.058         14.058         14.058
全長               47.521         43.230         47.605
d4                19.793          8.008          0.908
d10                 1.831          6.211         13.087
d12                 7.152         10.266         14.865
群焦点距離
f1=-21.792     f2=15.820     f3=-26.526     f4=32.960
【０２１０】
以上の実施例１〜５の収差図を、それぞれ図６〜図１０に示す。いずれも、無限遠物体合焦時の収差図である。また、各図中、”ＦＩＹ”は最大像高を示す。
【０２１１】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０２１２】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０２１３】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０２１４】
次に、各実施例における条件式（１）〜（２４）の値を掲げる。なお、比重は第３レンズ群の負レンズにおける値である。また、ハイフン（−）は、値を算出するための構成が存在しないことを示している。
実施例１   実施例２   実施例３   実施例４   実施例５
(1)ΔD12/ERS              4.09       3.758      3.675      3.637      4.197
(2)|f3/fUN21|             1.658      1.324      1.477      1.798      1.538
(3)SF2N                   0.31       0.53       0.49       0.02        -
(4)ΔD12/IHMAX            1.632      1.533      1.549      1.569      1.694
(5)|f3/fW|                1.647      1.372      1.284      1.75       1.846
(6)Σ2G/f2                0.54       0.58       0.65       0.65       0.57
(7)fUN21/f2               0.987      1.09       0.895      0.951      1.09
(8)|f3/f2|                1.64       1.44       1.32       1.71       1.68
(9)f2/IHMAX               1.29       1.21       1.24       1.31       1.42
(10)fUN21/ERS             3.179      3.243      2.632      2.897      3.833
(11)LTLmin/fbLTLmin       4.157      4.068      4.198      3.969      4.075
(12)DTW                 -10.56     -10.56     -10.51     -13.09     -12.45
(13)SFUN21               -1.1       -1.21      -0.73      -0.68      -1.32
(14)Σ2G/fW               0.55       0.55       0.63       0.67       0.63
(15)|f3/IHMAX|           2.1        1.75       1.64       2.25       2.38
(16)νp1                 81.54      67.02      81.54      81.54      71.68
(17)fbw/IHMAX             1.28       1.29       1.3        1.38       1.26
(18)f1/f3                 0.85       0.96       1          0.72       0.82
(19)LTLw/fbw              4.44       4.24       4.32       4.19       4.38
(20)fUN21/fW              0.993      1.036      0.869      0.973      1.2
(21)ΔD12/fT              0.442      0.415      0.418      0.421      0.456
(22)|f3/ERS|              0.756      0.464      0.648      0.678      0.788
(23)|ASPO-ASPI|/IH33W      -         0.0014     0.0006     0.0057      -
(24)fT/fW                 2.89       2.89       2.90       2.90       2.88
比重(g/cm3)               1.01       1.01       1.01       1.01       1.01
【０２１５】
図１３は、電子撮像装置としてのレンズ交換式カメラ、例えば、ミラーレス一眼カメラの断面図である。ミラーレス一眼カメラは、クイックリターンミラーをもたないタイプのカメラである。図１３において、ミラーレス一眼カメラ１の鏡筒内には撮影光学系２が配置される。マウント部３は、撮影光学系２をミラーレス一眼カメラ１のボディに着脱可能とする。マウント部３としては、スクリュータイプのマウントやバヨネットタイプのマウント等が用いられる。この例では、バヨネットタイプのマウントを用いている。また、ミラーレス一眼カメラ１のボディには、撮像素子面４、バックモニタ５が配置されている。なお、撮像素子としては、小型のＣＣＤ又はＣＭＯＳ等が用いられている。
【０２１６】
そして、ミラーレス一眼カメラ１の撮影光学系２として、例えば、上記実施例１〜５に示したズームレンズが用いられる。
【０２１７】
図１４、図１５は、本実施例のズームレンズを備えた撮像装置の構成の概念図を示す。図１５は撮像装置としてのミラーレス一眼カメラ４０の外観を示す前方斜視図、図１５は同後方斜視図である。このミラーレス一眼カメラ４０の撮影光学系４１に、本実施例のズームレンズが用いられている。
【０２１８】
この実施形態のミラーレス一眼カメラ４０は、撮影用光路４２上に位置する撮影光学系４１、シャッターボタン４５、液晶表示モニター４７等を含み、ミラーレス一眼カメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２１９】
図２６は、ミラーレス一眼カメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２２０】
図２６に示すように、ミラーレス一眼カメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２２１】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２２２】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、ミラーレス一眼カメラ４０全体を制御する。
【０２２３】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２２４】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２２５】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２２６】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２２７】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２２８】
このように構成されたミラーレス一眼カメラ４０は、諸収差の良好な補正と小型化が両立されたズームレンズを有する撮像装置とすることが可能となる。なお、本発明のズームレンズは、光学系が撮像装置の本体に固定されているタイプの撮像装置にも用いることができる。
【産業上の利用可能性】
【０２２９】
以上のように、本発明は、諸収差の良好な補正と光学系の小型化とが両立されたズームレンズ及びそれを有する撮像装置に適している。
【符号の説明】
【０２３０】
Ｇ１…第１レンズ群
Ｇ２…第２レンズ群
Ｇ３…第３レンズ群
Ｇ４…第４レンズ群
Ｓ…明るさ（開口）絞り
ＳＦ…フレア絞り
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…一眼ミラーレスカメラ
４１…撮影光学系
４２…撮影用光路
４５…シャッターボタン
４７…液晶表示モニター
４９…ＣＣＤ
【図１】
2014235190.tif 000003
【図２】
2014235190.tif 000004
【図３】
2014235190.tif 000005
【図４】
2014235190.tif 000006
【図５】
2014235190.tif 000007
【図６】
2014235190.tif 000008
【図７】
2014235190.tif 000009
【図８】
2014235190.tif 000010
【図９】
2014235190.tif 000011
【図１０】
2014235190.tif 000012
【図１１】
2014235190.tif 000013
【図１２】
2014235190.tif 000014
【図１３】
2014235190.tif 000015
【図１４】
2014235190.tif 000016
【図１５】
2014235190.tif 000017
【図１６】
2014235190.tif 000018